(57)【要約】【課題】可動片が機械的に動作する開閉役物において、その仕組みを視認することができて興趣が向上された遊技機を提供すること。【解決手段】  透明遊技盤と、該透明遊技盤の背面側に配設され、透明遊技盤の略全面に演出表示可能領域を形成する表示手段と、前記透明遊技盤上に設けられ、遊技球が入球し難い閉鎖状態と遊技球が入球しやすい開放状態とに可動する複数の開閉役物と、前記透明遊技盤の背面側に配設され、前記複数の開閉役物が相互に機械的に連動して連鎖的に拡開動作するように、複数の開閉役物同士を連結した連動機構と、前記開閉役物が互いに連動して連鎖的に拡開する様子を、前記連動機構の動きに合わせて前記表示手段上で演出表示する拡開動作演出表示制御手段とを備える遊技機とした。【選択図】図１１
2006025938.tif 000002
【特許請求の範囲】
【請求項１】
発射された遊技球を上部側から下部側へ流下案内可能とし、一部又は全部が透明部材により形成されて背後が透視可能な透明遊技盤と、
この透明遊技盤を通して視認されるように当該透明遊技盤の背面側に配設され、透明遊技盤の略全面に演出表示可能領域を形成する表示手段と、
前記透明遊技盤上に設けられ、遊技球が入球し難い閉鎖状態と遊技球が入球しやすい開放状態とに可動する複数の開閉役物と、
前記透明遊技盤の背面側に配設され、前記複数の開閉役物が相互に機械的に連動して連鎖的に拡開動作するように、複数の開閉役物同士を連結した連動機構と、
前記開閉役物が互いに連動して連鎖的に拡開する様子を、前記連動機構の動きに合わせて前記表示手段上で演出表示する拡開動作演出表示制御手段と、
を備えることを特徴とする遊技機。
【請求項２】
前記複数の開閉役物のうち一つの開閉役物に遊技球が入球すると、その開閉役物を連動開始開閉役物として、同連動開始開閉役物が拡開すると共に他の開閉役物も連鎖的に拡開して開放状態となり、前記開放状態にある連動開始開閉役物に再度遊技球が入球すると、前記連動開始開閉役物のみが閉鎖状態となって他の開閉役物は開放状態を維持することを特徴とする請求項１記載の遊技機。
【発明の詳細な説明】
【技術分野】
【０００１】
この発明は遊技機に関し、特に遊技盤上に遊技球を発射させ、遊技球の挙動によって利益を得ることができるようにした弾球遊技機に関するものである。
【背景技術】
【０００２】
従来、遊技機の一つとして弾球遊技機があり、この弾球遊技機を代表するものとしてパチンコ遊技機が知られている。パチンコ遊技機は、遊技球を遊技盤上に発射して所定の入賞口に入球させ、入賞に応じて払い出される入賞球をより多く獲得することを目的として遊技するものであるが、前記遊技盤上には、遊技球の流下方向を変化させる障害釘や風車などの遊技部材が設けられている。また、遊技部材としては、初期状態を閉鎖状態として前記遊技球が入球すると拡開動作（以下、開動作ともいう）し、その開放状態において前記遊技球が入球すると閉動作する可動片を前記入賞口に対して設けた開閉役物（所謂「チューリップ式役物」）もよく知られている。
【０００３】
かかる開閉役物は、前記可動片を開閉動作させるための機構として、入球した遊技球の運動エネルギにより機械的に可動片を開閉動作させる機構や、或いは入球した遊技球を電気的に検知し、その検知に基づき可動片を駆動するソレノイドを励磁して可動片を開閉動作させる機構を遊技者からは見えない遊技盤の背面側に備えており、通常は左右の可動片が起立した閉鎖状態となって両可動片間に遊技球略一個幅の通路を形成する一方、左右の可動片が横臥した開放状態になると、両片上に落下した遊技球を入賞通路に導き、多くの遊技球を容易に入賞させることができた。そのため、遊技者は開閉役物が閉鎖状態にあるのか開放状態にあるのかに関心を持っており、開閉役物に対する遊技者の注目度は高かった。
【０００４】
特に、現在のパチンコ遊技機においては、遊技者が前記遊技盤上に発射した遊技球が始動口と呼ばれる前記入賞口の一つへ入賞すると、その入賞に基づき当選かはずれかを内部抽選し、抽選結果に応じて前記遊技盤の略中央に配置された液晶表示装置の表示領域内で、やはり遊技機の１つであるスロットマシンのように、図柄などからなる識別情報を変動表示及び停止表示し、抽選結果が当選となって上記識別情報が予め定められた特定の賞態様で停止表示された場合、遊技者に有利な状態である所謂「大当たり遊技状態」に移行する所謂「可変表示ゲーム」を行うものが一般的になっており、この「可変表示ゲーム」の契機となる始動口が開閉役物となっていることが多いため、遊技者は開閉役物に対して一層注目するようになっていた（例えば特許文献１を参照）。
【特許文献１】特開２００１−３０００４４号公報
【発明の開示】
【発明が解決しようとする課題】
【０００５】
しかし、上記従来の開閉役物を備えた遊技機においては、開閉役物を開閉させる機構が遊技盤の背面側に配設されていたために、遊技者には開閉役物がどのような仕組みで開閉されているのかが分からなかった。特に、開閉役物を機械的に開閉動作させる機構の場合、その動きを遊技者が視認できるとこれまでにない斬新な演出となり得るが、そのような遊技機は提案されていなかった。そのため、遊技者は表面的な開閉役物の開閉動作のみを見ることとなり、遊技者の注目度の高い開閉役物でありながらその開閉動作は単調で、趣向性に乏しかった。
【０００６】
本発明は上記課題を解決することのできる遊技機を提供することを目的とする。
【課題を解決するための手段】
【０００７】
請求項１記載の本発明では、発射された遊技球を上部側から下部側へ流下案内可能とし、一部又は全部が透明部材により形成されて背後が透視可能な透明遊技盤と、この透明遊技盤を通して視認されるように当該透明遊技盤の背面側に配設され、透明遊技盤の略全面に演出表示可能領域を形成する表示手段と、前記透明遊技盤上に設けられ、初期状態を閉鎖状態として、前記遊技球が入球すると開動作するとともに、開放状態において前記遊技球が入球すると閉動作する複数の開閉役物と、前記透明遊技盤の背面側に配設され、前記複数の開閉役物が相互に機械的に連動して連鎖的に拡開動作するように、複数の開閉役物同士を連結した連動機構と、前記開閉役物が互いに連動して連鎖的に拡開する様子を、前記連動機構の動きに合わせて前記表示手段上で演出表示する開閉動作演出表示制御手段とを備えることを特徴とする。
【０００８】
請求項２記載の本発明では、請求項１記載の遊技機において、前記複数の開閉役物のうち一つの開閉役物に遊技球が入球すると、その開閉役物を連動開始開閉役物として、同連動開始開閉役物が拡開すると共に他の開閉役物も連鎖的に拡開して開放状態となり、前記開放状態にある連動開始開閉役物に再度遊技球が入球すると、前記連動開始開閉役物のみが閉鎖状態となって他の開閉役物は開放状態を維持することを特徴とする。
【発明の効果】
【０００９】
本発明によれば、開閉役物を開閉駆動する連動機構の仕組み及びその動作を透明遊技盤を通して演出として遊技者に視認させることができるので、開閉役物の開閉動作を趣向に富んだものとすることができ、遊技者を楽しませることができる。しかも、複数の開閉役物が互いに連動して連鎖的に拡開動作するという遊技者に有利な状態を、表示手段上で演出表示して強調できるので、遊技者は大きな満足感を得ることができ、しかも、他の遊技者へも有利な遊技状態にあることを報知できることになり、優越感にも浸ることができる。
【発明を実施するための最良の形態】
【００１０】
本実施形態に係る遊技機は、発射された遊技球を上部側から下部側へ流下案内可能とし、一部又は全部が透明部材により形成されて背後が透視可能な透明遊技盤と、この透明遊技盤を通して視認されるように当該透明遊技盤の背面側に配設され、透明遊技盤の略全面に演出表示可能領域を形成する表示手段と、前記透明遊技盤上に設けられ、初期状態を閉鎖状態として、前記遊技球が入球すると開動作するとともに、開放状態において前記遊技球が入球すると閉動作する複数の開閉役物と、前記透明遊技盤の背面側に配設され、前記複数の開閉役物が相互に機械的に連動して連鎖的に拡開動作するように、複数の開閉役物同士を連結した連動機構と、前記開閉役物が互いに連動して連鎖的に拡開する様子を、前記連動機構の動きに合わせて前記表示手段上で演出表示する開閉動作演出表示制御手段とを備える構成としたものであり、パチンコ遊技機として好適に実施することができる。
【００１１】
すなわち、前記表示手段を、後述する可変表示ゲームにおいて識別情報の可変表示（変動表示及び停止表示）が行われる複数の可変表示ゲーム領域を設定可能な表示領域を有し、当該表示領域と前記透明遊技盤における遊技領域とが重なるように前記透明遊技盤の後方に配置したパチンコ遊技機とすることができ、例えば、アクリル樹脂、ポリカーボネート樹脂、メタクリル樹脂などの各種合成樹脂などの透明部材により形成した透明遊技盤に、前記開閉役物を始め単なる遊技球の入賞口や入賞ゲート、また遊技球の流下方向に変化を与える障害釘や風車などを設けて、この透明遊技盤の略全領域を演出表示可能領域となすように、透明遊技盤の背後に液晶表示装置あるいは有機ＥＬ（Electronic  Luminescent）などの表示装置を配設することができる。
【００１２】
そして、かかるパチンコ遊技機において、開閉役物を開閉駆動する連動機構の仕組み及びその動作を透明遊技盤を通して演出として遊技者に視認させるのである。従って、開閉役物の開閉動作を趣向に富んだものとすることができ、遊技者を楽しませることができる。しかも、複数の開閉役物が互いに連動して連鎖的に拡開動作するという遊技者に有利な状態を、表示手段上で演出表示して強調するので、遊技者は大きな満足感を得ることができ、さらには、他の遊技者へも有利な遊技状態にあることを報知できることになり、優越感にも浸ることができる。
【００１３】
また、前記複数の開閉役物のうち一つの開閉役物に遊技球が入球すると、その開閉役物を連動開始開閉役物として、同連動開始開閉役物が拡開すると共に他の開閉役物も連鎖的に拡開して開放状態となり、前記開放状態にある連動開始開閉役物に再度遊技球が入球すると、前記連動開始開閉役物のみが閉鎖状態となって他の開閉役物は開放状態を維持する構成とすることもでき、その場合は、前記連動開始開閉役物に１球目の遊技球が入球して連動開始開閉役物と他の開閉役物との連動関係が発生してから、前記連動開始開閉役物に２球目の遊技球が入球して連動開始開閉役物と他の開閉役物との連動関係が終了するまでの開閉役物や連動機構の一連の動きを前述した表示手段上の演出表示によって強調することができ、連動関係にある開閉役物や連動機構の動きにより一層遊技者の注意を向けさせることができる。
【００１４】
ここで、前記可変表示ゲームとは、遊技球が入賞口の一つである特定入賞口としての始動口に入賞したことを契機として開始される遊技であり、この始動口への遊技球の入賞時には、抽選手段により内部抽選が実行される。なお、この始動口を開閉役物とすることもできる。
【００１５】
内部抽選は例えば１／３２０などの所定の当選確率に設定されているが、この抽選結果は、前記表示装置上において、図柄などからなる複数の識別情報の組合せによって報知される。そして、抽選結果が当選となった場合には、大当たり遊技状態に移行する。本実施形態では、この内部抽選に基づいて前記表示装置上で展開される前記複数の識別情報の変動表示及び停止表示、さらには各種演出表示を含めて可変表示ゲームと呼ぶ。
【００１６】
かかる可変表示ゲームに用いられる上記識別情報としての図柄は、数字を含む文字、記号、絵柄又は模様等を含むもので、前記表示装置内においては、かかる識別情報が複数個集合した識別情報群を、所定の大きさの演出表示領域中に複数列（例えば横３列）表示可能としている。なお、本実施形態では、この演出表示領域を、可変表示ゲーム実行中は可変表示ゲーム表示領域と呼ぶこともある。
【００１７】
また、識別情報の変動表示とは、各識別情報群に含まれる各識別情報を順次連続して表示させる形態であり、前記内部抽選結果が当選の場合は、複数の識別情報が同一図柄の組合せで停止表示され、それ以外の組合せによる停止表示は、抽選結果がはずれであることを意味する。また、識別情報群が横３列に表示されている場合、２つの識別情報群が同一図柄で停止表示され、残り一列の識別情報群が変動表示中の状態をリーチと呼ぶ。
【００１８】
なお、上述した可変表示ゲームから移行する大当たり遊技状態では、前記入賞口の一つである大入賞口に設けたシャッタを、所定時間あるいは遊技球が所定球数入球するまで開放した後閉鎖するラウンド遊技を所定回数（以下「ラウンド数」ともいう）繰り返すことができる。また、ラウンド遊技を継続するためには、前記大入賞口内に設けた所定の入球ゾーン（以下、「Ｖゾーン」ともいう）内に少なくとも１個の遊技球が入球することを条件としている。
【００１９】
また、前記開閉動作演出表示制御手段としての機能を始め、当選か否かを決定する内部抽選手段としての機能や、この内部抽選手段による抽選結果に基づき前記表示手段上で複数の識別情報を変動表示及び停止表示させるなど、遊技の進行に応じて各種演出表示を行う演出表示制御手段としての機能や、大当たり遊技状態を制御する大当たり実行手段としての機能は、ＣＰＵやパチンコ遊技全体の遊技プログラムを格納したメモリやその他書換え可能なメモリなどを備えてパチンコ遊技全体を制御するパチンコ遊技機内の制御部が担っている。
【００２０】
以下、本発明の実施形態を、図面に基づいて具体的に説明する。なお、以下においては、説明を分かりやすくするために、始動口を開閉役物とせず一般の入賞口を開閉役物として説明する。
【００２１】
（パチンコ遊技機の構成）
図１は本実施形態のパチンコ遊技機１０の斜視図、図２は同パチンコ遊技機１０を構成する各部の分解斜視図、図３は同パチンコ遊技機１０の正面図、図４は本実施形態における開閉役物５０Ａ〜５０Ｄを示す拡大図であって、図４（ａ）は正面図、図４（ｂ）は側面図である。図５は図４の開閉役物５０Ａ〜５０Ｄの動作を説明するための図であって、図５（ａ）は開閉役物５０Ａ〜５０Ｄが閉鎖状態から開放状態に移行する際の原理を説明するための図、図５（ｂ）は開閉役物５０Ａ〜５０Ｄが開放状態から閉鎖状態に移行する際の原理説明するための図ある。図６は複数の開閉役物５０Ａ〜５０Ｄが連動機構５２にて連動する原理を説明するための図であって、図６（ａ）は複数の開閉役物５０Ａ〜５０Ｄが連動して連鎖的に拡開動作する原理を説明するための図、図６（ｂ）は複数の開閉役物５０Ａ〜５０Ｄの連鎖的な拡開動作が終了する原理を説明するための図である。図７は同パチンコ遊技機１０の制御回路を示すブロック図である。
【００２２】
図１〜図３に示すように、パチンコ遊技機１０は、遊技場に設けられる図示しない遊技機設置基台（遊技島）に当該パチンコ遊技機１０を固定するための外枠１１と、同外枠１１内に配設された本体枠１２と、同本体枠１２に着脱自在に取付けられた後述する透明遊技盤１４及びその他図示しない各種部品と、前記本体枠１２に一側が枢着されて開閉自在とした前枠１６と、さらに、前記透明遊技盤１４を通して視認されるように、当該透明遊技盤１４の背面側に位置するように、前記本体枠１２の裏側に着脱自在に取付けられた表示手段としての液晶表示装置３２とを備えている。
【００２３】
この液晶表示装置３２は、透明遊技盤１４の全部又は一部に背面側から重なるように配設されていればよく、本実施形態では、前記液晶表示装置３２を透明遊技盤１４の略全体に重なるように配設している。すなわち、少なくとも透明遊技盤１４上に形成される後述する遊技領域１５全体に重なるように配設している。なお、かかる遊技領域１５に該当しない透明遊技盤１４の前面領域（以下「遊技領域外域１５ａ」という）の全部又は一部に重なるように配設しても構わない。
【００２４】
このように、前記液晶表示装置３２を、透明遊技盤１４の略全体に重なるように配設して透明遊技盤１４から透視可能とすることにより、本実施形態では、少なくとも透明遊技盤１４上の遊技領域１５全体を含む演出表示可能領域３２ａが形成されることになる。
【００２５】
そして、この演出表示可能領域３２ａ内に、後述する可変表示ゲームにおいて識別情報の可変表示を可能とすると共に、遊技に関する演出画像や背景画像を表示可能な演出表示領域、所謂可変表示ゲーム表示領域３４が形成される。なお、この可変表示ゲーム表示領域３４には、さらに後述する普通図柄ゲームにおける普通図柄９４についても表示することができる。
【００２６】
また、前記本体枠１２の上部にはスピーカ４６Ｒ，４６Ｌが取付けられると共に、下部右側には発射ハンドル２６が取付けられている。すなわち、本パチンコ遊技機１０で遊技を行う遊技者は、前記発射ハンドル２６等の操作ができるように当該パチンコ遊技機１０の前方側に位置することとなり、前記透明遊技盤１４と対向状態となる。
【００２７】
また、発射ハンドル２６の裏側には、ソレノイドなどからなる弾球装置を備える発射装置１３０（図７を参照）が設けられ、さらに、この発射ハンドル２６の周縁部には、タッチセンサ（図示せず）が設けられており、このタッチセンサが触接されたときに、発射ハンドル２６が遊技者により握持されたと検知される。そして、発射ハンドル２６が遊技者によって握持され、かつ時計回り方向へ回動操作されたときには、その回動角度に応じて発射装置１３０に電力が供給されて遊技球が透明遊技盤１４に順次発射される。なお、発射ハンドル２６に設けられるタッチセンサは、遊技者が発射ハンドル２６を握持したと判別できるものであればよく、光学的に検知するものや、熱により検知するもの等、センサの種類を問わない。
【００２８】
なお、図１〜図３中、２１は前記本体枠１２の前面下部に取付けられた受皿ユニットであり、上皿２０及び下皿２２が形成され、前記前枠１６の下側に位置するように配設されている。前記上皿２０に貯留された遊技球が発射装置１３０に供給されるようになっており、上皿２０の容量を越えた遊技球が下皿２２に供給されるようになっている。また、１９はガラスなどからなる透明保護板であり、前記前枠１６の開口部に取付けられている。４６’は前記スピーカ４６Ｒ，４６Ｌのカバーであり、前記前枠１６の上部に形成されている。１３２は演出表示や報知などに用いられる各種ランプである。
【００２９】
本実施形態に適用される前記透明遊技盤１４は、アクリル樹脂を用いた透明部材により形成されて全体が透過性を有しており、その前面には円弧状のガイドレール３０ａ，３０ｂを設け、このガイドレール３０ａ，３０ｂに囲まれた内側を遊技領域１５としている。前記発射ハンドル２６の操作により発射された遊技球は、ガイドレール３０ａにより案内されて前記遊技領域１５内を流下する。
【００３０】
また、透明遊技盤１４上には、図２に示すように複数の障害釘１３を打ち込んでおり、遊技球が遊技領域１５を上部から下部へ流下する際の流下方向を複雑に変化させるようにしている。なお、障害釘１３を打ち込むような構成とせず、透明遊技盤１４に樹脂製又は金属製の棒状体を透明遊技盤１４の前方向に突設する構成としてもよい（所謂パチコン機）。なお、障害釘１３については、図１及び図３では省略している。
【００３１】
さらに、この透明遊技盤１４（遊技領域１５）の略中央位置には、図３に示すように、遊技球の流下方向を大きく変化させる第一遊技球誘導部材３及び第二遊技球誘導部材４が上下に対向状態に配設されている。本実施形態では、これら第一遊技球誘導部材３及び第二遊技球誘導部材４の間に前記可変表示ゲーム表示領域３４が形成されている。なお、これら第一遊技球誘導部材３及び第二遊技球誘導部材４についても透明部材で形成することができる。
【００３２】
また、透明遊技盤１４には、遊技球が入球すると入賞となる複数の一般入賞口５、前記可変表示ゲームが開始される契機となる始動口６、及び可変表示ゲームで当選した際に実行されるラウンド遊技において所定時間開放可能とした大入賞口８、さらには前記一般入賞口５、可変表示ゲーム開始の契機となる始動口６、大入賞口８に入球しなかった遊技球が遊技領域外域１５ａへ排出されるアウト口７が配設されている。
【００３３】
前記大入賞口８には、開閉自在なシャッタ４０が設けられており、前記ラウンド遊技においては、このシャッタ４０が遊技球を受け入れやすい開放状態となる。また、この大入賞口８内には、Ｖカウントセンサ１０２（図７参照）を有する、Ｖゾーンと呼ぶ特定領域（図示せず）と、カウントセンサ１０４（図７参照）を有する一般領域（図示せず）とが設けられており、それらの領域を遊技球が所定個数（例えば１０個）通過するか、又は、所定時間（例えば３０秒）が経過するまで前記シャッタ４０が開放状態に駆動される。つまり、開放状態において大入賞口８への所定数の遊技球の入賞又は所定時間の経過のいずれかの条件が成立すると、大入賞口８を、遊技球を受け入れ難い閉鎖状態にする。続いて、開放状態から閉鎖状態となったシャッタ４０は、開放状態において大入賞口８に受け入れられた遊技球がＶカウントセンサ１０２を通過したことを条件に、再度開放状態に駆動される。つまり、大入賞口８が開放状態のときに受け入れられた遊技球が、大入賞口８内に設けられたＶゾーンを通過したことを条件に、閉鎖状態となった後に再度開放状態となり、ラウンド遊技が継続可能となる。
【００３４】
また、この大入賞口８の上方位置に設けた前記始動口６は、前述したように可変表示ゲーム開始の契機となるものであり、この始動口６に遊技球が入賞した場合に可変表示ゲームが開始され、前記可変表示ゲーム表示領域３４上において複数列の識別情報群が変動表示される。なお、本実施形態における可変表示ゲームに用いられる識別情報としての図柄は算用数字０〜９までとしており、識別情報が複数個集合した識別情報群を、可変表示ゲーム表示領域３４中に横３列で表示可能としている。
【００３５】
可変表示ゲームの開始条件としては、前記始動口６に遊技球が入賞したことを条件としており、所定の識別情報群の変動表示開始条件が成立する毎に識別情報群の変動表示を行うこととなる。なお、本実施形態においては、始動口６に遊技球が入賞したことを可変表示ゲームの可変表示開始条件としたが、これに限るものではなく、別の態様であってもよい。
【００３６】
また、遊技球が始動口６に入球した場合において、可変表示ゲームが実行中の場合であり、上限の保留数に達していないことを条件として、可変表示ゲームを保留しておくことができる。すなわち、可変表示ゲームにおける識別情報群の変動表示中に遊技球が始動口６へ入賞した場合、変動表示中の識別情報群が停止表示されるまで、当該始動口６への遊技球の入賞に基づく識別情報群の変動表示の実行（開始）が保留される。そして、識別情報群の可変表示の実行が保留されている状態で、各識別情報群の識別情報が停止表示された場合には、保留されている識別情報群の可変表示の実行が開始される。ここで、識別情報が停止表示された場合に実行される識別情報群の可変表示の実行は一回分である。例えば、識別情報群の変動表示の実行が三回分保留されている状態で、識別情報が停止表示された場合には、保留されている識別情報の可変表示のうち一回分が実行され、残りの二回分はその後も保留される。
【００３７】
なお、前記一般入賞口５及び大入賞口８に入球した場合の入賞には、例えば入球１個につき１０球の遊技球が賞球として払い出され、前記始動口６に入球した場合の入賞には、入球１個につき例えば５球の遊技球が賞球として払い出されるようにしている。
【００３８】
また、前記始動口６の左右側には、球通過検出ゲート５５，５５が設けられており、この球通過検出ゲート５５が遊技球の通過を検出したときには、図３に示すように、前記液晶表示装置３２の所定位置において普通図柄９４が変動し、例えば図示するような○印などの所定の図柄で停止表示されると、普通電動役物ソレノイド１１８（図７を参照）により、前記始動口６に付設した可動片５８（所謂チューリップと呼ばれる電動役物）が初期状態の閉鎖状態から開方向に駆動され、始動口６に遊技球が入りやすくなるようにしている。なお、所定時間経過すると可動片５８は再び閉鎖されて遊技球が始動口６に入りにくい状態に戻る。本実施形態では、このような普通図柄９４の変動表示及び停止表示を普通図柄ゲームと呼ぶ。
【００３９】
また、透明遊技盤１４の背面には、入賞した遊技球の通路９が設けられており、前記一般入賞口５、始動口６及び大入賞口８に入賞した遊技球は当該通路９を通って回収される。なお、前記通路９を通過する遊技球は、透明遊技盤１４を通して遊技者から視認することが可能である。
【００４０】
また、本実施形態では、前記一般入賞口５ａ〜５ｄを可動片５０ａ，５０ｂを備えた開閉役物５０Ａ〜５０Ｄとしている。特に、複数ある開閉役物５０Ａ〜５０Ｄのうち、透明遊技盤１４の左側に設けた開閉役物５０Ａを連動開始開閉役物とし、この開閉役物５０Ａと連動して連鎖的に拡開動作する連動開閉役物を、前記開閉役物５０Ａの下方に設けた開閉役物５０Ｂとしている。また、透明遊技盤１４の右側に設けた開閉役物５０Ｃを連動開始開閉役物とし、この開閉役物５０Ｃと連動して連鎖的に拡開動作する連動開閉役物を、前記開閉役物５０Ｃの下方に設けた開閉役物５０Ｄとしている。なお、図２、図３、及び図６では省略しているが、各開閉役物５０Ａ〜５０Ｄの下部側は、図５に示すように、カバーｃで覆っている。
【００４１】
前述したように、図４は本実施形態の開閉役物５０Ａ〜５０Ｄを示す拡大図であって、図４（ａ）は正面図、図４（ｂ）は側面図である。開閉役物５０Ａ〜５０Ｄは、左右一対の可動片５０ａ，５０ｂを備えており、同可動片５０ａ，５０ｂの下端部にはそれぞれ前後方向に伸延する可動片軸５０ｃ，５０ｄの前端部が固設されている。前記可動片軸５０ｃ，５０ｄの後端部にはそれぞれ第１傘形歯車５０ｅ，５０ｆが固設されており、この第１傘形歯車５０ｅ，５０ｆは、前記可動片軸５０ｃ，５０ｄに対して直角な左右方向に伸延する傘形歯車軸５０ｉに軸支された第２傘形歯車５０ｇ，５０ｈとそれぞれ噛合している。また、前記傘形歯車軸５０ｉには、前記第２傘形歯車５０ｇ，５０ｈの間において回転体５０ｋも軸支されている。図中、５０ｊは傘形歯車５０ｇ，５０ｈの回転量を規制するストッパーである。
【００４２】
また、上記開閉役物５０Ａ〜５０Ｄのうち、連動開始開閉役物である開閉役物５０Ａ,５０Ｃには、同開閉役物５０Ａ,５０Ｃの開閉動作を検知する連動開始開閉役物監視センサ１０８（図７参照）を配設しており、連動開閉役物である開閉役物５０Ｂ,５０Ｄには、同開閉役物５０Ｂ,５０Ｄの開閉動作を検知する連動開閉役物監視センサ１１０（図７参照）を配設している。
【００４３】
前述したように、図５は図４の開閉役物５０Ａ〜５０Ｄの動作の原理を説明するための図であって、図５（ａ）は開閉役物５０Ａ〜５０Ｄが閉鎖状態から開放状態に移行する際の原理を説明するための図、図５（ｂ）は開閉役物５０Ａ〜５０Ｄが開放状態から閉鎖状態に移行する際の原理を説明するための図ある。
【００４４】
最初に、図５（ａ）で開閉役物５０Ａ〜５０Ｄが閉鎖状態から開放状態に移行する際の原理を説明する。なお、以下においては開閉役物５０Ａを例に挙げて説明する。
【００４５】
図５（ａ）に示すように、開閉役物５０Ａの回転体５０ｋは、側面視略三角形状に形成されており、開閉役物５０Ａが閉鎖状態にあるときには、上端部側が前方に倒れた前高後低状態となっている。従って、開閉役物５０Ａに遊技球が入球すると、同遊技球は回転体５０ｋの背面５０ｍ上を転がって回転体５０ｋを側面視で時計回り方向に回転させて、上端部側が後方に倒れた前低後高状態に回転体５０ｋを移行させる。そして、遊技球は回転体５０ｋの下端部から通路９に落下する。
【００４６】
上述のように回転体５０ｋが側面視で時計回り方向に回転すると、前記第２傘形歯車５０ｇ，５０ｈも側面視で時計回り方向に回転する。そして、このように第２傘形歯車５０ｇ，５０ｈが側面視で時計回り方向に回転すると、同第２傘形歯車５０ｇと噛合する第１傘形歯車５０ｅが正面視で反時計回り方向に回転するとともに第２傘形歯車５０ｈと噛合する第１傘形歯車５０ｆが正面視で時計回り方向に回転し、左右の可動片５０ａ，５０ｂが開放状態に移行する。なお、傘形歯車軸５０ｉには傘形歯車５０ｇ，５０ｈの回転量を規制するストッパー５０ｊが設けられているため、可動片５０ａ，５０ｂは所定の角度で回動する。
【００４７】
次いで、図５（ｂ）で開閉役物５０Ａ〜５０Ｄが開放状態から閉鎖状態に移行する際の原理を説明する。ここでも、開閉役物５０Ａを例に挙げて説明する。
【００４８】
図５（ｂ）に示すように、開閉役物５０Ａの回転体５０ｋは、開閉役物５０Ａが閉鎖状態にあるときには、上端部側が後方に倒れた前低後高状態となっている。従って、開閉役物５０Ａに遊技球が入球すると、同遊技球は回転体５０ｋの前面５０ｎ上を転がって回転体５０ｋを側面視で反時計回り方向に回転させて、上端部側が前方に倒れた前高後低状態に回転体５０ｋを移行させる。そして、遊技球は回転体５０ｋの下端部から通路９に落下する。
【００４９】
上述のように回転体５０ｋが側面視で反時計回り方向に回転すると、前記第２傘形歯車５０ｇ，５０ｈも側面視で反時計回り方向に回転する。そして、このように第２傘形歯車５０ｇ，５０ｈが側面視で反時計回り方向に回転すると、同第２傘形歯車５０ｇと噛合する第１傘形歯車５０ｅが正面視で時計回り方向に回転するとともに第２傘形歯車５０ｈと噛合する第１傘形歯車５０ｆが正面視で反時計回り方向に回転し、左右の可動片５０ａ，５０ｂが閉鎖状態に移行する。
【００５０】
前述したように、図６は複数の開閉役物５０Ａ〜５０Ｄが連動機構５２にて連動する原理を説明するための図であって、図６（ａ）は複数の開閉役物５０Ａ〜５０Ｄが連動して連鎖的に拡開動作する原理を説明するための図、図６（ｂ）は複数の開閉役物５０Ａ〜５０Ｄの連鎖的な拡開動作が終了する原理を説明するための図である。
【００５１】
連動開始開閉役物（開閉役物５０Ａ，５０Ｃ）と連動開閉役物（開閉役物５０Ｂ，５０Ｄ）とを連動させる連動機構５２は透明遊技盤１４の背面に設けられており、図６（ａ）（ｂ）に示すように、上側に位置するシリンダー外筒５２ｄに下側に位置するシリンダー内筒５２ｅを進退自在に嵌合させたシリンダー５２ｃと、一端部がシリンダー５２ｃの上端部（シリンダー外筒５２ｄ）に回転自在に枢着され他端部が連動開始開閉役物の可動片５０ａまたは傘形歯車５０ｅに固設されている上連結軸５２ａと、一端部がシリンダー５２ｃの下端部（シリンダー内筒５２ｅ）に回転自在に枢着され他端部が連動開閉役物の可動片５０ｂまたは傘形歯車５０ｆに固設されている下連結軸５２ｆとから構成されている。
【００５２】
最初に、図６（ａ）で複数（図６では２個）の開閉役物５０Ａ，５０Ｂが連動して連鎖的に拡開動作する原理を説明する。
【００５３】
前記連動機構５２のシリンダー５２ｃは、開閉役物５０Ａ，５０Ｂがどちらも閉鎖状態となった初期状態においては、シリンダー外筒５２ｄの内部にシリンダー内筒５２ｅが侵入した収縮状態にあり、遊技球が開閉役物５０Ａに入球して同開閉役物５０Ａが開放状態になると、図６（ａ）に示すように、上連結軸５２ａが反時計回り方向に回転して前記シリンダー５２ｃが収縮状態のまま下方に押し下げられる。このようにシリンダー５２ｃが押し下げられて下方に移動すると、下連結軸５２ｆが反時計回り方向に回転して開閉役物５０Ｂが開放状態になる。
【００５４】
次いで、図６（ｂ）で複数（図６では２個）の開閉役物５０Ａ，５０Ｂの連鎖的な拡開動作が終了する原理を説明する。
【００５５】
前記図６（ａ）に示すように開閉役物５０Ａ，５０Ｂがどちらも開放状態となった後、さらに遊技球が開閉役物５０Ａに入球して同開閉役物５０Ａが閉鎖状態になると、図６（ｂ）に示すように、上連結軸５２ａが時計回り方向に回転して前記シリンダー５２ｃのシリンダー外筒５２ｄのみが上方に引き上げられる。このようにシリンダー内筒５２ｅは移動することなくシリンダー外筒５２ｄのみが引き上げられて上方に移動するので、開閉役物Ｂの開放状態が維持され、開閉役物５０Ａと開閉役物５０Ｂとの連動関係が終了する。
【００５６】
なお、再び開閉役物５０Ａと開閉役物５０Ｂとの連動関係が復帰するのは、開放状態にある開閉役物５０Ｂに遊技球が入球して同開閉役物５０Ｂが閉鎖状態となり、開閉役物５０Ａと開閉役物５０Ｂとが共に閉鎖状態となったときである。すなわち、開閉役物５０Ｂが閉鎖状態となると、下連結軸５２ｆが時計回り方向に回転して前記シリンダー５２ｃのシリンダー内筒５２ｅを上方に押し上げて、同シリンダー内筒５２ｅをシリンダー外筒５２ｃに侵入させるため、シリンダー５２Ｃが再び収縮状態となって開閉役物５０Ａと開閉役物５０Ｂとの連動関係が復帰する。
【００５７】
本実施形態に係るパチンコ遊技機１０は上記構成からなり、開閉役物同士（例えば、開閉役物５０Ａ，５０Ｂ）を連動させる連動機構５２の仕組み及びその動作を前記透明遊技盤１４を通して遊技者に演出として視認させることができる。従って、開閉役物５０Ａ〜５０Ｄの開閉動作を趣向に富んだものとすることができ、遊技者を楽しませることができる。
【００５８】
しかも、前記透明遊技盤１４と、この透明遊技盤１４から透視可能に配設された前記液晶表示装置３２により、透明遊技盤１４の略全域が演出表示可能領域３２ａとして形成されるので、遊技球を発射して入賞による賞球の獲得を目指すパチンコ遊技を従来通りに楽しみながら、遊技に応じた多彩な演出表示を、透明遊技盤１４の略全域のいたる個所で表示することが可能であり、例えば、前記開閉役物５０Ａ，５０Ｂや開閉役物５０Ｃ，５０Ｄが互いに連動して連鎖的に拡開する様子を演出表示可能領域３２ａ内で演出表示するなど、大きな演出効果によって遊技者を楽しませ、興趣の向上を図ることができる。
【００５９】
また、従来では、液晶表示装置３２のサイズを大きくすると、遊技領域１５のサイズが相対的に小さくなり、遊技球の挙動の変化が乏しくなってパチンコ遊技の興趣を削ぐおそれがあったが、本パチンコ遊技機１０の構成により、演出表示可能領域３２ａを拡大して多様な演出を実行可能としながら遊技領域１５も十分広く確保することができる。
【００６０】
（パチンコ遊技機の電気的構成）
本実施形態に係るパチンコ遊技機１０の制御回路を示すブロック図を図７に示す。
【００６１】
図示するように、制御部としての主制御回路６０は、メインＣＰＵ６６、メインＲＯＭ（読み出し専用メモリ）６８、メインＲＡＭ（読み書き可能メモリ）７０を備えている。この主制御回路６０は、遊技の進行を制御する。すなわち、主制御回路６０は、当選かはずれかを内部抽選する内部抽選手段、この内部抽選手段による抽選結果に基づき前記可変表示ゲーム表示領域３４内に複数の識別情報を変動表示及び停止表示させるなど、実際の遊技に応じて所定の演出表示を行う演出表示制御手段、前記抽選結果が当選となって前記複数の識別情報が予め定められた特定組合せで停止表示された場合、遊技者に有利な大当たり遊技状態に移行させる大当たり遊技実行手段など、複数の手段として機能することとなる。
【００６２】
特に、本実施形態では、この主制御回路６０が、連動開始開閉役物である開閉役物５０Ａ,５０Ｃの開閉動作を検知する連動開始開閉役物監視センサ１０８や、連動開閉役物である開閉役物５０Ｂ,５０Ｄの開閉動作を検知する連動開閉役物監視センサ１１０や、後述する副制御回路２００と共に拡開動作演出表示制御手段としても機能する。
【００６３】
メインＣＰＵ６６には、メインＲＯＭ６８、メインＲＡＭ７０等が接続されており、このメインＲＯＭ６８に記憶されたプログラムに従って、各種の処理を実行する機能を有する。すなわち、メインＣＰＵ６６は、前記拡開動作演出表示制御手段を始め、前述した各種手段として中心的な役割を担うこととなる。
【００６４】
メインＲＯＭ６８には、メインＣＰＵ６６によりパチンコ遊技機１０の動作を制御するためのプログラムが記憶されており、その他には、乱数抽選によって大当たり判定をする際に参照される大当たり判定テーブルや、演出を選択する際に参照される演出条件選択テーブルなどの各種のテーブルが記憶されている。
【００６５】
なお、本実施形態においては、プログラム、テーブル等を記憶する媒体としてメインＲＯＭ６８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジ等の記憶媒体に記録されていてもよい。また、これらのプログラムは、予め記録されているものでなくとも、電源投入後にこれらのプログラムをダウンロードしてメインＲＡＭ７０等に記録されるものでもよい。さらに、プログラムの各々が別々の記憶媒体に記録されていてもよい。また、本実施形態においてはメインＣＰＵ６６、メインＲＯＭ６８及びメインＲＡＭ７０を別々に設けたが、これらが一体となっているワンチップマイコンを使用してもよい。
【００６６】
メインＲＡＭ７０は、メインＣＰＵ６６の一時記憶領域として種々のフラグや変数の値を記憶する機能を有する。メインＲＡＭ７０に記憶されるデータの具体例としては、以下のようなものがある。
【００６７】
メインＲＡＭ７０には、制御状態フラグ、開閉鎖状態フラグ、特定領域通過フラグ、高確率フラグ、大当たり判定用乱数カウンタ、大当たり図柄決定用乱数カウンタ、はずれ図柄決定用乱数カウンタ、演出条件選択用乱数カウンタ、大入賞口開放回数カウンタ、大入賞口入賞カウンタ、アウト球カウンタ、始動記憶数カウンタ、球通過記憶数カウンタ、待ち時間タイマ、大入賞口開放時間タイマ、後述する副制御回路２００にコマンドを供給するためのデータ、変数等が位置付けられている。
【００６８】
制御状態フラグは、可変表示ゲームの制御状態を示すものである。開閉鎖状態フラグは、開閉役物５０Ａ〜５０Ｄが開放状態にあるか閉鎖状態にあるかを示すものである。特定領域通過フラグは、遊技球が特定領域を通過したか否かを判断するためのものである。高確率フラグは、大当たり遊技状態に移行する確率を相対的に高めるか否かを示すものである。
【００６９】
大当たり判定用乱数カウンタは、可変表示ゲームの大当たりを判定するためのものである。大当たり図柄決定用乱数カウンタは、可変表示ゲームで大当たりを判定した場合に、停止表示される大当たりに係る識別情報としての図柄（以下「特別図柄」という）を決定するためのものである。はずれ図柄決定用乱数カウンタは、大当たりではない場合に停止表示する識別情報を決定するためのものである。演出条件選択用乱数カウンタは、識別情報の変動表示パターンを決定するためのものである。これらのカウンタは、メインＣＰＵ６６により順次“１”増加するように記憶更新されており、所定のタイミングで各カウンタから乱数値を抽出することにより、メインＣＰＵ６６の各種の機能を実行することとなる。なお、本実施形態においては、このような乱数カウンタを備え、プログラムに従って、メインＣＰＵ６６が、乱数カウンタを“１”増加させるように記憶更新する構成としたが、これに限らず、別個に、乱数発生器のような装置を備えるように構成してもよい。また、はずれではあるが、リーチとするか否かを判定するためのリーチ判定用乱数カウンタを設けてもよい。
【００７０】
大入賞口開放回数カウンタは、１回の大当たり遊技状態における大入賞口８の開放回数、すなわちラウンド遊技数（所謂ラウンド数）を示すものであり、初期設定時やカウンタのクリア時には“１”となっている。そして、メインＣＰＵ６６は、Ｖカウントセンサ１０２から所定の検知信号が供給された場合に、大入賞口開放回数カウンタを“１”増加させるように記憶更新する。
【００７１】
大入賞口入賞カウンタは、１ラウンド中に大入賞口８に入賞し、Ｖカウントセンサ１０２又はカウントセンサ１０４を通過した遊技球の数を示すものである。
【００７２】
アウト球カウンタは、１ラウンド中に透明遊技盤１４上に設けられた入賞口のいずれにも入賞しなかった遊技球の個数、所謂アウト球数を示すものである。メインＣＰＵ６６は、後述するアウト球センサ１１２から所定の検知信号が供給された場合に、アウト球カウンタを“１”増加させるように記憶更新する。
【００７３】
始動記憶数カウンタは、可変表示ゲームの保留数を示すものである。すなわち、始動口６へ遊技球が入賞したが、識別情報の変動表示が実行できないときに、当該変動表示を保留するが、その保留されている識別情報の変動回数を示すものである。
【００７４】
球通過記憶数カウンタは、普通図柄ゲームの保留数（以下、球通過記憶数ともいう）を示すものである。すなわち、球通過検出ゲート５５に遊技球が通過したが、普通図柄９４の変動表示が実行できないときに、当該変動表示を保留するが、その保留されている普通図柄９４の変動回数を示すものである。
【００７５】
待ち時間タイマは、主制御回路６０と副制御回路２００とにおいて実行される処理の同期を取るためのものである。また、大入賞口開放時間タイマは、シャッタ４０を駆動させ、大入賞口８を開放状態としている時間（以下、単に大入賞口開放時間という）を計測するためのものである。なお、本実施形態におけるタイマは、メインＲＡＭ７０において、所定の周期で、その所定の周期だけ減算されるように記憶更新されるが、これに限らず、ＣＰＵ等自体がタイマを備えていてもよい。
【００７６】
また、メインＲＡＭ７０には、特別図柄記憶領域、普通図柄記憶領域が位置付けられ、記憶されている。
【００７７】
特別図柄記憶領域は、可変表示ゲームにおける１回の可変表示に対応する大当たり判定用乱数値、大当たり図柄用乱数値、クリアデータ等のデータが記憶されている。一方、普通図柄記憶領域に関しても、特別図柄記憶領域と同様である。
【００７８】
なお、本実施形態においては、メインＣＰＵ６６の一時記憶領域としてメインＲＡＭ７０を用いているが、これに限らず、読み書き可能な記憶媒体であればよい。
【００７９】
また、この主制御回路６０は、所定の周波数のクロックパルスを生成するリセット用クロックパルス発生回路６２、電源投入時においてリセット信号を生成する初期リセット回路６４、後述する副制御回路２００に対してコマンドを供給するためのシリアル通信用ＩＣ７２を備えている。また、これらのリセット用クロックパルス発生回路６２、初期リセット回路６４、シリアル通信用ＩＣ７２は、メインＣＰＵ６６に接続されている。なお、このリセット用クロックパルス発生回路６２は、後述するシステムタイマ割込処理を実行するために、所定の周期（例えば２ミリ秒）毎にクロックパルスを発生する。なお、このシリアル通信用ＩＣ７２は、各種のコマンドを副制御回路２００（副制御回路２００に含まれる各種の手段）へ送信する送信手段に相当する。
【００８０】
また、主制御回路６０には、各種の装置が接続されており、例えば、図７に示すように、Ｖカウントセンサ１０２、カウントセンサ１０４、一般入賞球センサ１０６、アウト球センサ１１２、通過球センサ１１４、始動入賞球センサ１１６、連動開始開閉役物監視センサ１０８、連動開閉役物監視センサ１１０、普通電動役物ソレノイド１１８、大入賞口ソレノイド１２０、シーソーソレノイド１２２、バックアップクリアスイッチ１２４が接続されている。
【００８１】
ここで、前記Ｖカウントセンサ１０２は、大入賞口８におけるＶゾーン内に設けられている。このＶカウントセンサ１０２は、大入賞口８におけるＶゾーンを遊技球が通過した場合に、所定の検知信号を主制御回路６０に供給する。
【００８２】
カウントセンサ１０４は、大入賞口８におけるＶゾーンとは異なる一般入球ゾーンに設けられている。このカウントセンサ１０４は、大入賞口８における一般入球ゾーンを遊技球が通過した場合に、所定の検知信号を主制御回路６０に供給する。
【００８３】
一般入賞球センサ１０６は、一般入賞口５に設けられている。この一般入賞球センサ１０６は、各一般入賞口５を遊技球が通過した場合に、所定の検知信号を主制御回路６０に供給する。
【００８４】
アウト球センサ１１２は、アウト口７に設けられている。このアウト球センサ１１２は、アウト口７に遊技球が通過した場合に、所定の検知信号を主制御回路６０に供給する。
【００８５】
通過球センサ１１４は、球通過検出ゲート５５にそれぞれ設けられている。この通過球センサ１１４は、球通過検出ゲート５５を遊技球が通過した場合に、所定の検知信号を主制御回路６０に供給する。
【００８６】
始動入賞球センサ１１６は、始動口６に設けられている。この始動入賞球センサ１１６は、始動口６に遊技球が入賞した場合に、所定の検知信号を主制御回路６０に供給する。
【００８７】
連動開始開閉役物監視センサ１０８は、本実施形態の連動開始開閉役物である開閉役物５０Ａ,５０Ｃにそれぞれ設けられている。この連動開始開閉役物監視センサ１０８は、開閉役物５０Ａ,５０Ｃが開動作して開放状態となった場合、及び閉動作して閉鎖状態となった場合に、それぞれ所定の検知信号を主制御回路６０に供給する。
【００８８】
連動開閉役物監視センサ１１０は、本実施形態の連動開閉役物である開閉役物５０Ｂ,５０Ｄにそれぞれ設けられている。この連動開閉役物監視センサ１１０は、開閉役物５０Ｂ,５０Ｄが開動作して開放状態となった場合、及び閉動作して閉鎖状態となった場合に、それぞれ所定の検知信号を主制御回路６０に供給する。
【００８９】
前述したように、本実施形態では、この連動開閉役物監視センサ１１０や前記連動開始開閉役物監視センサ１０８が拡開動作演出表示制御手段として機能する。
【００９０】
普通電動役物ソレノイド１１８は、リンク部材（図示せず）を介して前記始動口６に付設された可動片５８に接続されており、メインＣＰＵ６６から供給される駆動信号に応じて、可動片５８を開放状態又は閉鎖状態とする。
【００９１】
大入賞口ソレノイド１２０は、大入賞口８を開閉するシャッタ４０（図３を参照）に接続されており、メインＣＰＵ６６から供給される駆動信号に応じて、シャッタ４０を駆動させ、大入賞口８を開放状態又は閉鎖状態とする。
【００９２】
シーソーソレノイド１２２は、板形状でシャッタ４０の内側に設けられている図示しないシーソーに接続されており、メインＣＰＵ６６から供給される駆動信号に応じて、シーソーを変位させ、そのシーソーの傾斜を変更する。このシーソーが傾斜された結果、遊技球が前記Ｖゾーンを通過しやすくなるように、又は前記一般入球ゾーンを通過しやすくなるように切り替えることとなる。
【００９３】
バックアップクリアスイッチ１２４は、パチンコ遊技機１０に内蔵されており、電断時等におけるバックアップデータを遊技場の管理者の操作に応じてクリアする機能を有するものである。
【００９４】
また、主制御回路６０には、払出・発射制御回路１２６が接続されている。この払出・発射制御回路１２６には、賞球となる遊技球の払出を行う払出装置１２８、遊技球の発射を行う発射装置１３０、カードユニット１５０が接続されている。
【００９５】
この払出・発射制御回路１２６は、主制御回路６０から供給される賞球制御コマンド、カードユニット１５０から供給される貸し球制御信号を受け取り、払出装置１２８に対して所定の信号を送信することにより、払出装置１２８に遊技球を払い出させる。また、払出・発射制御回路１２６は、発射装置１３０に対して発射信号を供給することにより、遊技球を発射させる制御を行う。
【００９６】
また、前記発射装置１３０には、前述した発射用ソレノイド（あるいは発射用モータ）、タッチセンサ等の遊技球を発射させるための装置が備えられている。
【００９７】
さらには、シリアル通信用ＩＣ７２には、副制御回路２００が接続されている。この副制御回路２００は、主制御回路６０から供給される各種のコマンドに応じて、液晶表示装置３２における表示制御、スピーカ４６から発生させる音声に関する制御、各種ランプ１３２の制御等を行うものであり、前述したように、本実施形態では、連動開始開閉役物と連動開閉役物とが互いに連動して連鎖的に拡開動作する様子を演出表示する拡開動作演出表示制御手段としても機能する。
【００９８】
なお、本実施形態においては、主制御回路６０から副制御回路２００に対してコマンドを供給すると共に、副制御回路２００から主制御回路６０に対して信号を供給できないように構成したが、これに限らず、副制御回路２００から主制御回路６０に対して信号を送信できるように構成してもよい。
【００９９】
副制御回路２００は、表示手段に対する表示制御を行う表示制御手段としてのサブＣＰＵ２０６、記憶手段としてのプログラムＲＯＭ２０８、ワークＲＡＭ２１０、液晶表示装置３２における表示制御を行うための表示制御回路２５０、スピーカ４６Ｒ，４６Ｌから発生させる音声に関する制御を行う音声制御回路２３０、各種ランプ１３２の制御を行うランプ制御回路２４０から構成されており、主制御回路６０からの指令に応じて遊技の進行に応じた演出を実行する。
【０１００】
サブＣＰＵ２０６には、プログラムＲＯＭ２０８、ワークＲＡＭ２１０等が接続されている。サブＣＰＵ２０６は、このプログラムＲＯＭ２０８に記憶されたプログラムに従って、各種の処理を実行する機能を有する。特に、サブＣＰＵ２０６は、主制御回路６０から供給される各種のコマンドに従って、副制御回路２００の制御を行う。特に、サブＣＰＵ２０６は、液晶表示装置３２に対する表示制御を行うと共に、前記拡開動作演出表示制御手段をはじめ、後述する各種の手段として機能することとなる。
【０１０１】
前記プログラムＲＯＭ２０８には、サブＣＰＵ２０６によりパチンコ遊技機１０の遊技演出を制御するためのプログラムが記憶されており、その他には、演出に関する決定を行うためのテーブル等の各種のテーブルも記憶されている。
【０１０２】
また、プログラムＲＯＭ２０８には、複数種類の演出パターンが記憶されている。この演出パターンは、演出表示の進行に関するものであり、この演出パターンが副制御回路２００によって適宜呼び出されて実行されることにより、識別情報の変動表示及び停止表示を含む可変表示ゲームの進行に応じて各種演出表示が行われることとなる。
【０１０３】
なお、本実施形態に係る副制御回路２００において、プログラム、テーブル等を記憶する記憶手段としてプログラムＲＯＭ２０８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジ等の記憶媒体に記録されていてもよい。もちろん、記憶手段としてメインＲＯＭ６８を用いてもよい。また、これらのプログラムは、予め記録されているものでなくとも、電源投入後にこれらのプログラムをダウンロードし、ワークＲＡＭ２１０等に記録されるものでもよい。更にまた、プログラムの各々が別々の記憶媒体に記録されていてもよい。
【０１０４】
またさらに、本実施形態において、メインＣＰＵ６６及びメインＲＯＭ６８を含む主制御回路６０と、サブＣＰＵ２０６及びプログラムＲＯＭ２０８を含む副制御回路２００とを別々に構成したが、メインＣＰＵ６６及びメインＲＯＭ６８を含む主制御回路６０のみで構成してもよく、この場合には、上述したプログラムＲＯＭ２０８に記憶されているプログラムをメインＲＯＭ６８に記憶させ、メインＣＰＵ６６により実行されるように構成してもよい。もちろん、サブＣＰＵ２０６及びプログラムＲＯＭ２０８を含む副制御回路２００のみで構成するようにしてもよく、この場合には、上述したメインＲＯＭ６８に記憶されているプログラムをプログラムＲＯＭ２０８に記憶させ、サブＣＰＵ２０６により実行されるように構成してもよい。
【０１０５】
ワークＲＡＭ２１０は、サブＣＰＵ２０６の一時記憶領域として種々のフラグや変数の値を記憶する機能を有する。例えば、演出パターンを選択するための演出表示選択用乱数カウンタ等、各種の変数等が位置付けられている。
【０１０６】
なお、本実施形態においては、サブＣＰＵ２０６の一時記憶領域としてワークＲＡＭ２１０を用いているが、これに限らず、読み書き可能な記憶媒体であればよい。
【０１０７】
表示制御回路２５０は、表示制御手段としての画像データプロセッサ（以下、ＶＤＰという）２１２、各種の画像データを記憶する画像データＲＯＭ２１６、画像データを画像信号として変換するＤ／Ａコンバータ２１８、電源投入時においてリセット信号を生成する初期リセット回路２２０から構成されている。
【０１０８】
上述したＶＤＰ２１２は、サブＣＰＵ２０６、画像データが記憶されている画像データＲＯＭ２１６、画像データを画像信号に変換するＤ／Ａコンバータ２１８、初期リセット回路２２０と接続されている。
【０１０９】
このＶＤＰ２１２は、いわゆるスプライト回路、スクリーン回路、及びパレット回路等の回路を含み、液晶表示装置３２に画像を表示させるための種々の処理を行うことができる装置である。つまり、ＶＤＰ２１２は、液晶表示装置３２に対する表示制御を行う。また、ＶＤＰ２１２には、液晶表示装置３２の演出表示可能領域３２ａに画像を表示するためのバッファとしての記憶媒体（例えば、ビデオＲＡＭ）を備えている。この記憶媒体の所定の記憶領域に画像データを記憶することによって、所定のタイミングで液晶表示装置３２の演出表示可能領域３２ａに画像が表示されることとなる。
【０１１０】
画像データＲＯＭ２１６には、識別情報を示す識別情報画像データ、背景画像データ、演出画像データ、普通図柄９４を示す普通図柄画像データ、前記開閉役物Ａ〜Ｄが互いに連動して連鎖的に拡開する様子を前記連動機構５２の動きに合わせて強調するための連動演出画像データ等の各種の画像データが別個に記憶されている。もちろん、関連画像を示す関連画像データも記憶されている。
【０１１１】
また、ＶＤＰ２１２は、サブＣＰＵ２０６から供給される画像表示命令に応じて、画像データＲＯＭ２１６から、識別情報を示す識別情報画像データ、普通図柄９４を示す普通図柄画像データ、背景画像データ、演出画像データ、連動演出画像データ等、各種の画像データを読み出し、液晶表示装置３２に表示させる画像データを生成する。さらに、このＶＤＰ２１２は、生成した画像データを、後方に位置する画像データから順に重ね合わせてバッファに記憶し、所定のタイミングでＤ／Ａコンバータ２１８に供給する。このＤ／Ａコンバータ２１８は、画像データを画像信号として変換し、この画像信号を液晶表示装置３２に供給することにより、液晶表示装置３２に画像を表示させる。
【０１１２】
また、音声制御回路２３０は、音声に関する制御を行う音源ＩＣ２３２、各種の音声データを記憶する音声データＲＯＭ２３４、音声信号を増幅するための増幅器２３６（以下、ＡＭＰという）から構成されている。
【０１１３】
この音源ＩＣ２３２は、サブＣＰＵ２０６、初期リセット回路２２０、音声データＲＯＭ２３４、ＡＭＰ２３６と接続されている。この音源ＩＣ２３２は、スピーカ４６から発生させる音声の制御を行う。
【０１１４】
サブＣＰＵ２０６は、演出パターンを選択し、音声データＲＯＭ２３４に記憶されている複数の音声データから一つの音声データを選択する。その後、サブＣＰＵ２０６は、選択された音声データを音声データＲＯＭ２３４から読み出し、音源ＩＣ２３２に供給する。音声データを受け取った音源ＩＣ２３２は、その音声データを所定の音声信号に変換し、その音声信号をＡＭＰ２３６に供給する。ＡＭＰ２３６は、音声信号を増幅させ、スピーカ４６（４６Ｒ，４６Ｌ）から音声を発生させる。
【０１１５】
ランプ制御回路２４０は、ランプ制御信号を供給するためのドライブ回路２４２、複数種類のランプ装飾パターン等が記憶されている装飾データＲＯＭ２４４から構成されている。
【０１１６】
（表示画面の説明）
次に、上記構成からなるパチンコ遊技機１０の演出表示可能領域３２ａにおいて実行される演出表示の実行画面について、図８〜図１１を用いて説明する。
【０１１７】
前記演出表示可能領域３２ａでは、可変表示ゲーム表示領域３４において可変表示ゲームが実行される。例えば識別情報の可変表示の実行が保留されていない状態において、始動口６に遊技球が入球すると、主制御回路６０から供給されるコマンドに従って、副制御回路２００は可変表示ゲームにおける演出表示を制御する。すなわち、図８に示すように、透明遊技盤１４上の第一遊技球誘導部材３及び第二遊技球誘導部材４の間に可変表示ゲーム表示領域３４を形成し、同可変表示ゲーム表示領域３４上において３列の識別情報群を変動表示させる。このとき、変動表示に伴ってキャラクタ画像による演出も表示する。
【０１１８】
図９には、遊技が進行して、可変表示ゲーム表示領域３４上で新たに右側の識別情報群が停止表示された状態が示されており、図１０には、前記図９に示す状態からさらに遊技が進行して、最後まで変動表示されていた中央の識別情報群も停止表示されて、当選を示す「７７７」の組合せが停止表示された状態を示している。このように、当選を示す特定組合せで識別情報が停止表示されると、大当たり遊技状態に移行する。
【０１１９】
演出表示可能領域３２ａでは、上記図８〜図１０に示す可変表示ゲームと平行して、本発明の要旨ともなる連動開始開閉役物と連動開閉役物とが互いに連動して連鎖的に拡開動作する様子を演出表示する連動演出が行われている。図１１には、かかる連動演出の一例を示している。
【０１２０】
前述したように、本実施形態では、開閉役物５０Ａと開閉役物５０Ｂとの間、及び開閉役物５０Ｃと開閉役物５０Ｄとの間でそれぞれ連動関係が発生するようになっており、この連動関係にある２つの開閉役物のうち、連動開始開閉役物である開閉役物５０Ａや開閉役物５０Ｃに遊技球が入球して連動開始開閉役物が拡開動作すると、その拡開動作した連動開始開閉役物と、同連動開始開閉役物に連動する連動開閉役物との近傍に連動演出画像Ｇを表示するようにしている。すなわち、開閉役物５０Ａが拡開動作すると、同開閉役物５０Ａ及び開閉役物５０Ｂの近傍に連動演出画像Ｇである花火を表示し、開閉役物５０Ｃが拡開動作すると、同開閉役物５０Ｃ及び開閉役物５０Ｄの近傍に連動演出画像Ｇである花火を表示する。
【０１２１】
このように、連動開始開閉役物に遊技球が入球して同連動開始開閉役物が拡開動作したときに、連動開始開閉役物だけでなく同連動開始開閉役物に連動して連鎖的に拡開動作する連動開閉役物を連動演出画像Ｇによって演出表示することにより、複数の開閉役物が互いに連動して連鎖的に拡開動作するという遊技者に有利な状態を強調できるので、遊技者は大きな満足感を得ることができ、しかも、他の遊技者へも有利な遊技状態にあることを報知できることになり、優越感にも浸ることができる。
【０１２２】
特に、本実施形態では、拡開動作して開放状態にある前記連動開始開閉役物に再度遊技球が入球すると、前記連動開始開閉役物のみが閉鎖状態となって連動開閉役物は開放状態を維持し、連動開始開閉役物と連動開閉役物との連動関係が終了するので、前記演出表示可能領域３２ａにおける連動演出画像Ｇの表示も、この連動開始開閉役物と連動開閉役物との連動関係が終了するのに伴って終了する。
【０１２３】
従って、連動演出表示画像Ｇを表示することによって、連動開始開閉役物に１球目の遊技球が入球して連動開始開閉役物と他の開閉役物との連動関係が発生してから、前記連動開始開閉役物に２球目の遊技球が入球して連動開始開閉役物と他の開閉役物との連動関係が終了するまでの開閉役物や連動機構の一連の動きを強調することができ、連動関係にある開閉役物や連動機構の動きに遊技者の注意を一層向けさせることができる。
【０１２４】
（遊技機の動作）
以下に、パチンコ遊技機１０で実行される処理を図１２〜図１４、図１６〜図２３に示す。また、パチンコ遊技機１０で実行される可変表示ゲーム制御処理（図１４）の状態遷移について図１５を用いて説明する。
【０１２５】
（メイン処理）
最初に、図１２に示すように、ＲＡＭアクセス許可、バックアップ復帰処理、作業領域を初期化等の初期設定処理を実行する（ステップＳ１１）。そして、詳しくは図１４を用いて後述するが、可変表示ゲームの進行、液晶表示装置３２に表示される識別情報に関する可変表示ゲーム制御処理を実行する（ステップＳ１５）。このように、メイン処理においては、ステップＳ１１の初期設定処理が終了した後、ステップＳ１５の処理を繰り返し実行することとなる。
【０１２６】
（システムタイマ割込処理）
また、メインＣＰＵ６６は、メイン処理を実行している状態であっても、メイン処理を中断させ、システムタイマ割込処理を実行する場合がある。リセット用クロックパルス発生回路６２から所定の周期（例えば２ミリ秒）毎に発生されるクロックパルスに応じて、以下のシステムタイマ割込処理を実行する。このシステムタイマ割込処理について図１３を用いて説明する。
【０１２７】
最初に、図１３に示すように、メインＣＰＵ６６は、大当たり判定用乱数カウンタ、大当たり図柄決定用乱数カウンタ等の各カウント値を“１”増加するように乱数更新処理を実行する（ステップＳ４２）。そして、詳しくは図１７を用いて後述するが、始動口６、球通過検出ゲート５５、一般入賞口５などの遊技球の入賞又は通過を検知する入力検出処理を実行する（ステップＳ４３）。この処理においては、メインＣＰＵ６６は、各種の入賞口に遊技球が入賞したことを条件として、遊技球を賞球として払い出す旨のデータをメインＲＡＭ７０の所定領域に記憶することとなる。そして、主制御回路６０と副制御回路２００との同期をとるための待ち時間タイマ、大当たりが発生した際に開放する大入賞口８の開放時間を計測するための大入賞口開放時間タイマ等、各種のタイマの更新処理を実行する（ステップＳ４４）。そして、各種の変数に基づいて駆動制御するための信号をソレノイド、モータ等に供給するために、出力処理を実行する（ステップＳ４６）。この処理が終了した場合には、ステップＳ４７に処理を移す。
【０１２８】
ステップＳ４７においては、コマンド出力処理を実行する。この処理において、メインＣＰＵ６６は、各種のコマンドを副制御回路２００に供給する。これらの各種のコマンドとしては、具体的には、デモ表示コマンド、左列、中列、右列に導出表示される識別情報の種類を示す図柄指定コマンド、識別情報の変動表示パターンを示す変動パターン指定コマンド、可変表示ゲームの保留数を示す始動記憶数指定コマンド、連動演出の開始を示す連動演出開始コマンド、連動演出の終了を示す連動演出終了コマンド等が含まれる。この処理が終了した場合には、ステップＳ４９に処理を移す。
【０１２９】
そして、ステップＳ４９の処理において、メインＣＰＵ６６は、払出装置１２８に賞球払出を行わせるための賞球制御コマンドを払出・発射制御回路１２６へ送信する等の払出処理を実行する。この処理により、各種入賞口へ遊技球が入賞した場合には、予め設定された所定数の賞球が払出装置１２８から払い出される。また、この処理が終了した場合には、本サブルーチンを終了し、割込発生前のアドレスへ復帰し、メイン処理を実行させる。
【０１３０】
（可変表示ゲーム制御処理）
図１２のステップＳ１５において実行されるサブルーチンについて図１４を用いて説明する。なお、図１４において、ステップＳ７２からステップＳ８０の側方に示した数値は、それらのステップに対応する制御状態フラグを示し、その制御状態フラグの数値に応じて、その数値に対応する一つのステップが実行され、可変表示ゲームが進行することとなる。
【０１３１】
最初に、図１４に示すように、制御状態フラグをロードする処理を実行する（ステップＳ７１）。この処理において、メインＣＰＵ６６は、制御状態フラグを読み出す。この処理が終了した場合には、ステップＳ７２に処理を移す。
【０１３２】
なお、後述するステップＳ７２からステップＳ８０において、メインＣＰＵ６６は、後述するように、制御状態フラグの値に基づいて、各ステップにおける各種の処理を実行するか否かを判断することとなる。この制御状態フラグは、可変表示ゲームの遊技の状態を示すものであり、ステップＳ７２からステップＳ８０における処理のいずれかを実行可能にするものである。また、それに加えて、メインＣＰＵ６６は、各ステップに対して設定された待ち時間タイマ等に応じて決定される所定のタイミングで各ステップにおける処理を実行する。なお、この所定のタイミングに至る前においては、各ステップにおける処理を実行することなく終了することとなり、他のサブルーチンを実行することとなる。もちろん、所定の周期でシステムタイマ割込処理も実行する。
【０１３３】
ステップＳ７２においては、特別図柄記憶チェック処理を実行する。詳しくは図１６を用いて後述するが、メインＣＰＵ６６は、制御状態フラグが特別図柄記憶チェックを示す値（００）である場合に、可変表示ゲーム保留数のチェックを行い、保留数がある場合に、大当たり判定、停止表示された導出識別情報、識別情報の変動パターン等の決定を行う。また、メインＣＰＵ６６は、特別図柄変動時間管理を示す値（０１）を制御状態フラグにセットし、今回の処理で決定された変動パターンに対応する変動時間を待ち時間タイマにセットする。つまり、今回決定された変動パターンに対応する変動時間を経過した後、ステップＳ７３の処理を実行するように設定するのである。さらに、始動記憶数カウンタを“１”減少するように記憶更新する。そして、メインＣＰＵ６６は、始動記憶数指定コマンドを示すデータを、メインＲＡＭ７０の所定領域に記憶する。このようにセットされた始動記憶数指定コマンドを示すデータは、図１３のステップＳ４７の処理により、主制御回路６０のメインＣＰＵ６６から副制御回路２００のサブＣＰＵ２０６に始動記憶数指定コマンドとして供給される。副制御回路２００のサブＣＰＵ２０６は、後述するように、受信した始動記憶数指定コマンドに応じて、始動記憶数に関する演出、報知を実行することとなる。一方、保留数がない場合には、デモ画面が表示される。この処理が終了した場合には、ステップＳ７３に処理を移す。
【０１３４】
ステップＳ７３においては、特別図柄変動時間管理処理を実行する。この処理においては、メインＣＰＵ６６は、制御状態フラグが特別図柄変動時間管理を示す値（０１）であり、変動時間が経過した場合に、特別図柄表示時間管理を示す値（０２）を制御状態フラグにセットし、確定後待ち時間（例えば１秒）を待ち時間タイマにセットする。つまり、確定後待ち時間が経過した後、ステップＳ７４の処理を実行するように設定するのである。この処理が終了した場合には、ステップＳ７４に処理を移す。
【０１３５】
ステップＳ７４においては、特別図柄表示時間管理処理を実行する。この処理においては、メインＣＰＵ６６は、制御状態フラグが特別図柄表示時間管理を示す値（０２）であり、確定後待ち時間が経過した場合に、大当たりか否かを判断する。メインＣＰＵ６６は、大当たりである場合に、大当たり開始インターバル管理を示す値（０３）を制御状態フラグにセットし、大当たり開始インターバルに対応する時間（例えば１０秒）を待ち時間タイマにセットする。つまり、大当たり開始インターバルに対応する時間が経過した後、ステップＳ７５の処理を実行するように設定するのである。従って、ステップＳ７４を実行するメインＣＰＵ６６は、液晶表示装置３２における識別情報の可変表示の結果が特定の識別情報の組合せとなったことを条件として遊技者に有利な大当たり遊技状態への制御を行うこととなる。一方、メインＣＰＵ６６は、大当たりではない場合に、可変表示ゲーム終了を示す値（０８）をセットする。つまり、ステップＳ８０の処理を実行するように設定するのである。この処理が終了した場合には、ステップＳ７５に処理を移す。
【０１３６】
ステップＳ７５においては、大当たり開始インターバル管理処理を実行する。この処理において、メインＣＰＵ６６は、制御状態フラグが大当たり開始インターバル管理を示す値（０３）であり、その大当たり開始インターバルに対応する時間が経過した場合に、大入賞口８を開放させるために、メインＲＯＭ６８から読み出されたデータに基づいて、メインＲＡＭ７０に位置付けられた変数を更新する。メインＣＰＵ６６は、大入賞口開放中を示す値（０４）を制御状態フラグにセットすると共に、開放上限時間（例えば３０秒）を大入賞口開放時間タイマにセットする。つまり、ステップＳ７７の処理を実行するように設定するのである。この処理が終了した場合には、ステップＳ７６に処理を移す。
【０１３７】
ステップＳ７６においては、大入賞口再開放前待ち時間管理処理を実行する。この処理において、メインＣＰＵ６６は、制御状態フラグが大入賞口再開放待ち時間管理を示す値（０６）であり、ラウンド間インターバルに対応する時間が経過した場合に、大入賞口開放中を示す値（０４）を制御状態フラグにセットする。しかも、メインＣＰＵ６６は、開放上限時間（例えば３０秒）を大入賞口開放時間タイマにセットする。つまり、ステップＳ７７の処理を実行するように設定するのである。さらにメインＣＰＵ６６は、大入賞口入賞カウンタ及びアウト球カウンタを含む各ラウンド遊技での入賞状況に関連する各種カウンタの値をクリアする処理（少なくとも大入賞口入賞カウンタ及びアウト球カウンタの値を“０”にクリアする処理）を実行する。この処理が終了した場合には、ステップＳ７７に処理を移す。
【０１３８】
ステップＳ７７においては、大入賞口開放中処理を実行する。この処理において、メインＣＰＵ６６は、制御状態フラグが大入賞口開放中を示す値（０４）である場合に、大入賞口入賞カウンタが“１０”以上であるという条件、開放上限時間を経過した（大入賞口開放時間タイマが“０”である）という条件のいずれかを満たすか否かを判断する。メインＣＰＵ６６は、いずれかの条件を満たした場合に、大入賞口８を閉鎖させるために、メインＲＡＭ７０に位置付けられた変数を更新する。メインＣＰＵ６６は、大入賞口内残留球監視を示す値（０５）を制御状態フラグにセットする。メインＣＰＵ６６は、大入賞口内残留球監視時間（例えば１秒）を待ち時間タイマにセットする。つまり、大入賞口内残留球監視時間が経過した後、ステップＳ７８の処理を実行するように設定するのである。なお、メインＣＰＵ６６は、いずれの条件も満たさない場合には、上述した処理を実行しない。この処理が終了した場合には、ステップＳ７８に処理を移す。
【０１３９】
ステップＳ７８においては、大入賞口内残留球監視処理を実行する。この処理においては、メインＣＰＵ６６は、制御状態フラグが大入賞口内残留球監視を示す値（０５）であり、大入賞口内残留球監視時間が経過した場合に、大入賞口８における特定領域を遊技球が通過しなかったという条件、大入賞口開放回数カウンタが“１５”以上である（最終ラウンドである）という条件のいずれかを満たすか否かを判断する。メインＣＰＵ６６は、いずれかの条件を満たした場合に、大当たり終了インターバルを示す値（０７）を制御状態フラグにセットし、大当たり終了インターバルに対応する時間を待ち時間タイマにセットする。つまり、大当たり終了インターバルに対応する時間が経過した後、ステップＳ７９の処理を実行するように設定するのである。一方、メインＣＰＵ６６は、いずれの条件も満たさない場合に、大入賞口再開放待ち時間管理を示す値（０６）を制御状態フラグにセットする。また、メインＣＰＵ６６は、ラウンド間インターバルに対応する時間を待ち時間タイマにセットする。つまり、ラウンド間インターバルに対応する時間が経過した後、ステップＳ７６の処理を実行するように設定するのである。この処理が終了した場合には、ステップＳ７９に処理を移す。
【０１４０】
ステップＳ７９においては、大当たり終了インターバル処理を実行する。この処理においては、メインＣＰＵ６６は、制御状態フラグが大当たり終了インターバルを示す値（０７）であり、大当たり終了インターバルに対応する時間が経過した場合に、可変表示ゲーム終了を示す値（０８）を制御状態フラグにセットする。つまり、ステップＳ８０の処理を実行するように設定するのである。
【０１４１】
また、前記可変表示ゲーム終了を示す値（０８）のセットに基づき、メインＣＰＵ６６は、大入賞口開放回数カウンタ、大入賞口入賞カウンタ、及びアウト球カウンタを含む大当たり遊技状態での遊技状況に関連する各種カウンタの値をクリアする処理（少なくとも大入賞口開放回数カウンタは“１”に、他のカウンタは“０”にクリアする処理）を実行する。この処理が終了した場合には、ステップＳ８０に処理を移す。
【０１４２】
ステップＳ８０においては、可変表示ゲーム終了処理を実行する。この処理においては、メインＣＰＵ６６は、制御状態フラグが可変表示ゲーム終了を示す値（０８）である場合に、次回の変動表示を行うために、特別図柄記憶領域の更新を行う。メインＣＰＵ６６は、特別図柄記憶チェックを示す値（００）をセットする。つまり、ステップＳ７２の処理を実行するように設定するのである。この処理が終了した場合には、本サブルーチンを終了する。
【０１４３】
上述したように、制御状態フラグをセットすることにより、可変表示ゲームが実行されることとなる。具体的には、メインＣＰＵ６６は、図１５に示すように、大当たり遊技状態ではない場合において、大当たり判定の結果がはずれであるときには、制御状態フラグを“００”、“０１”、“０２”、“０８”と順にセットすることにより、図１４に示すステップＳ７２、ステップＳ７３、ステップＳ７４、ステップＳ８０の処理を所定のタイミングで実行することとなる。また、メインＣＰＵ６６は、大当たり遊技状態ではない場合において、大当たり判定の結果が大当たりであるときには、制御状態フラグを“００”、“０１”、“０２”、“０３”と順にセットすることにより、図１４に示すステップＳ７２、ステップＳ７３、ステップＳ７４、ステップＳ７５の処理を所定のタイミングで実行し、大当たり遊技状態への制御を実行することとなる。更には、メインＣＰＵ６６は、大当たり遊技状態への制御が実行された場合には、制御状態フラグを“０４”、“０５”、“０６”と順にセットすることにより、図１４に示すステップＳ７７、ステップＳ７８、ステップＳ７６の処理を所定のタイミングで実行し、ラウンド遊技を実行することとなる。なお、ラウンド遊技が実行されている場合において、大当たり遊技状態の終了条件（大当たり遊技終了条件）が成立した場合には、“０４”、“０５”、“０７”、“０８”と順にセットすることにより、図１４に示すステップＳ７７からステップＳ８０の処理を所定のタイミングで実行し、大当たり遊技状態を終了することとなる。なお、このラウンド遊技終了条件には、所定の時間が経過するまでに特定領域への遊技球の通過がなかったこと（所謂「パンク」）、又は、ラウンド遊技最大継続数（本実施形態においては１５ラウンド）が終了したことを条件として大当たり遊技状態を終了することとなる。
【０１４４】
（特別図柄記憶チェック処理）
図１４のステップＳ７２において実行されるサブルーチンについて、図１６を用いて説明する。
【０１４５】
最初に、図１６に示すように、制御状態フラグが特別図柄記憶チェックを示す値（００）であるか否かの判断を行い（ステップＳ１０１）、制御状態フラグが特別図柄記憶チェックを示す値であると判別した場合には、ステップＳ１０２に処理を移し、制御状態フラグが特別図柄記憶チェックを示す値であるとは判別しなかった場合には、本サブルーチンを終了する。そして、ステップＳ１０２においては、可変表示ゲームの保留数が“０”であるか否かの判断を行う。すなわち、この処理において、メインＣＰＵ６６は、始動記憶数カウンタから始動記憶数（すなわち「可変表示ゲームの保留数を示すデータ」）を読み出し、始動記憶数が“０”であるか否かの判断を行い、始動記憶数が“０”であると判別した場合には、ステップＳ１０３に処理を移し、始動記憶数が“０”であるとは判別しなかった場合には、ステップＳ１０４に処理を移す。
【０１４６】
ステップＳ１０３においては、デモ表示処理を実行する。この処理において、メインＣＰＵ６６は、デモ表示を行わせるために副制御回路２００にデモ表示コマンドを供給するための変数をメインＲＡＭ７０に記憶する。これによって、副制御回路２００において、デモ画面の表示が実行されることとなる。この処理が終了した場合には、本サブルーチンを終了する。
【０１４７】
ステップＳ１０４においては、制御状態フラグとして特別図柄変動時間管理を示す値（０１）をセットする処理を実行する。この処理において、メインＣＰＵ６６は、特別図柄変動時間管理を示す値を制御状態フラグに記憶する。この処理が終了した場合には、ステップＳ１０５に処理を移す。
【０１４８】
ステップＳ１０５においては、大当たり判断処理を実行する。この処理において、メインＣＰＵ６６は、始動入賞時に抽出された大当たり判定用乱数値と、メインＲＯＭ６８の所定領域に記憶された大当たり判定テーブルとを参照する。つまり、メインＣＰＵ６６は、遊技者に有利な大当たり遊技状態とするか否かの判定を行うこととなる。この処理が終了した場合には、ステップＳ１０６に処理を移す。
【０１４９】
ステップＳ１０６においては、大当たりであるか否かの判断を行う。この処理において、メインＣＰＵ６６は、ステップＳ１０５の参照の結果に基づいて、大当たりであるか否かを判断することとなる。メインＣＰＵ６６は、大当たりであると判別した場合には、ステップＳ１０７に処理を移し、大当たりであるとは判別しなかった場合には、ステップＳ１０８に処理を移す。
【０１５０】
ステップＳ１０７においては、大当たり図柄の決定処理を実行する。この処理において、メインＣＰＵ６６は、始動入賞時に抽出された大当たり図柄用乱数値を抽出し、その大当たり図柄用乱数値に基づいて、左列、中列、右列に対応する識別情報を決定し、その識別情報を示すデータをメインＲＡＭ７０の所定領域に記憶する。このように記憶された左列、中列、右列に対応する識別情報を示すデータは、図１３のステップＳ４７の処理により、主制御回路６０のメインＣＰＵ６６から副制御回路２００のサブＣＰＵ２０６に停止させる識別情報の図柄指定コマンドとして供給される。この処理が終了した場合には、ステップＳ１０９に処理を移す。
【０１５１】
ステップＳ１０８においては、はずれ図柄の決定処理を実行する。この処理において、メインＣＰＵ６６は、はずれ図柄決定用乱数カウンタからはずれ図柄決定用乱数値を抽出し、そのはずれ図柄決定用乱数値に基づいて左列、中列、右列に対応する識別情報を決定し、その識別情報を示すデータをメインＲＡＭ７０の所定領域に記憶する。このように記憶された左列、中列、右列に対応する識別情報を示すデータは、図１３のステップＳ４７の処理により、主制御回路６０のメインＣＰＵ６６から副制御回路２００のサブＣＰＵ２
０６に停止させる識別情報の図柄指定コマンドとして供給される。このような処理が実行されることによって、つまり、識別情報の可変表示の結果を決定することとなる。
【０１５２】
なお、メインＣＰＵ６６は、左列と右列とが同じ識別情報となり、更には、左列と中列とが同じ識別情報となる場合には、中列の識別情報を、所定のコマ数（例えば３コマ）だけ補正するように決定し、大当たりにならないように制御している。つまり、本ステップにより、識別情報の可変表示の結果が、その識別情報の可変表示の結果が導出表示される以前に決定されるのである。この処理が終了した場合には、ステップＳ１０９に処理を移す。
【０１５３】
なお、メインＣＰＵ６６は、ステップＳ１０７又はステップＳ１０８を実行することによって、停止表示させる識別情報を決定するため、識別情報の可変表示がリーチとなるか否かを決定することとなる。つまり、本実施形態におけるステップＳ１０７又はステップＳ１０８を実行するメインＣＰＵ６６は、識別情報の可変表示がリーチとなるか否かを決定するリーチ決定手段に相当する。
【０１５４】
ステップＳ１０９においては、変動パターン決定処理を実行する。この処理において、メインＣＰＵ６６は、演出条件選択用乱数値を抽出する。メインＣＰＵ６６は、ステップＳ１０７及びステップＳ１０８により決定された左列、中列、右列の識別情報に基づいて、変動パターンを決定するための変動パターン振分テーブルを選択する。そして、メインＣＰＵ６６は、演出条件選択用乱数カウンタから抽出した演出条件選択用乱数値と選択した変動パターン振分テーブルとに基づいて、変動パターンを決定し、メインＲＡＭ７０の所定領域に記憶する。このように記憶された変動パターンを示すデータは、図１３のステップＳ４７の処理により、主制御回路６０のメインＣＰＵ６６から副制御回路２００のサブＣＰＵ２０６に変動パターン指定コマンドとして供給される。副制御回路２００のサブＣＰＵ２０６は、受信した変動パターン指定コマンドに応じた演出表示を実行することとなる。この処理が終了した場合には、ステップＳ１１０に処理を移す。
【０１５５】
ステップＳ１１０においては、決定した変動パターンに対応する変動時間を待ち時間タイマにセットする処理を実行する。この処理において、メインＣＰＵ６６は、ステップＳ１０９の処理により決定された変動パターンと、その変動パターンの変動演出時間を示す変動演出時間テーブルとに基づいて、変動演出時間を算出し、その変動演出時間を示す値を待ち時間タイマに記憶する。そして、今回の変動表示に用いられた記憶領域をクリアする処理を実行する（ステップＳ１１１）。この処理が終了した場合には、ステップＳ１１２に処理を移す。
【０１５６】
ステップＳ１１２においては、メインＣＰＵ６６は、始動記憶数カウンタを“１”減少するように記憶更新する。そして、メインＣＰＵ６６は、始動記憶数指定コマンドを示すデータを、メインＲＡＭ７０の所定領域に記憶する。このように記憶された始動記憶数指定コマンドを示すデータは、図１３のステップＳ４７の処理により、主制御回路６０のメインＣＰＵ６６から副制御回路２００のサブＣＰＵ２０６に始動記憶数指定コマンドとして供給される。詳しくは後述するが、副制御回路２００のサブＣＰＵ２０６は、受信した始動記憶数指定コマンドに応じた演出を実行することとなる。この処理が終了した場合には、本サブルーチンを終了する。
【０１５７】
（入力検出処理）
図１３のステップＳ４３において実行されるサブルーチンについて図１７を用いて説明する。
【０１５８】
最初に、図１７に示すように、メインＣＰＵ６６は、賞球関連スイッチチェック処理を実行する（ステップＳ２３１）。この処理において、メインＣＰＵ６６は、賞球に関連するスイッチであるＶカウントセンサ１０２、カウントセンサ１０４、一般入賞球センサ１０６、始動入賞球センサ１１６などの各種のセンサより、所定の検知信号が供給されているかを検出する。そして、これら所定の信号の検出処理を行ったメインＣＰＵ６６は、信号を供給したセンサに応じて、賞球の数を決定し、メインＲＡＭ７０に記憶する。この処理が終了した場合には、ステップＳ２３２に処理を移す。
【０１５９】
ステップＳ２３２においては、特別図柄関連スイッチ入力処理を実行する。詳しくは図１８を用いて後述するが、この処理において、メインＣＰＵ６６は、特別図柄としての識別情報に関連するＶカウントセンサ１０２、カウントセンサ１０４、始動入賞球センサ１１６、及びアウト球センサ１１２より所定の信号が供給されているかを検出する。これら所定の信号の検出処理を行ったメインＣＰＵ６６は、後述するような処理を実行する。この処理が終了した場合には、ステップＳ２３３に処理を移す。
【０１６０】
ステップＳ２３３においては、普通図柄関連スイッチ入力処理を実行する。詳しくは図２０を用いて後述するが、この処理において、メインＣＰＵ６６は、普通図柄に関連する通過球センサ１１４より所定の信号が供給されているかを検出する。これら所定の信号を受け取ったメインＣＰＵ６６は、後述するような処理を実行する。この処理が終了した場合には、ステップＳ２３４に処理を移す。
【０１６１】
ステップＳ２３４においては、連動演出関連スイッチ入力処理を実行する。詳しくは図２１を用いて後述するが、この処理において、メインＣＰＵ６６は、連動演出に関連する連動開始開閉役物監視センサ１０８、連動開閉役物監視センサ１１０より所定の信号が供給されているかを検出する。これら所定の信号を受け取ったメインＣＰＵ６６は、後述するような処理を実行する。この処理が終了した場合には、本サブルーチンを終了する。
（特別図柄関連スイッチ入力処理）
図１７のステップＳ２３２において実行されるサブルーチンについて図１８を用いて説明する。
【０１６２】
最初に、図１８に示すように、カウントスイッチ入力があるか否かの判断を行う（ステップＳ２６１）。この処理において、メインＣＰＵ６６は、カウントセンサ１０４から供給される所定の信号に応じて、カウントスイッチ入力があると判別した場合には、大入賞口入賞カウンタを“１”増加させるように記憶更新するカウントスイッチ検出時処理を実行する（ステップＳ２６２）。一方、メインＣＰＵ６６は、カウントスイッチ入力があると判別しなかった場合には、ステップＳ２６３に処理を移す。
【０１６３】
ステップＳ２６３においては、Ｖカウントスイッチ入力があるか否かの判断を行う。この処理において、メインＣＰＵ６６は、Ｖカウントセンサ１０２から供給される所定の信号に応じて、Ｖカウントスイッチ入力があると判別した場合には、特定領域を通過した旨のフラグを成立させて、大入賞口開放回数カウンタを“１”増加させるように記憶更新するＶカウントスイッチ検出時処理を実行する（ステップＳ２６４）。
【０１６４】
また、このＶカウントスイッチ検出時処理では、メインＣＰＵ６６は、Ｖカウントセンサ１０２から供給される所定の信号に応じて、Ｖカウントスイッチ入力があると判別した場合には、大入賞口入賞カウンタを“１”増加させるように記憶更新する処理を実行する。一方、メインＣＰＵ６６は、Ｖカウントスイッチ入力があると判別しなかった場合には、ステップＳ２６５に処理を移す。
【０１６５】
ステップＳ２６５においては、始動口スイッチ入力があるか否かの判断を行う。この処理において、メインＣＰＵ６６は、始動入賞球センサ１１６から供給される所定の信号を受け取ることにより、始動口スイッチ入力があるか否かを判断することとなる。メインＣＰＵ６６は、始動口スイッチ入力があると判別した場合には、ステップＳ２６６に処理を移し、始動口スイッチ入力があると判別しなかった場合には、本サブルーチンを終了する。
【０１６６】
ステップＳ２６６においては、始動口検出時処理を実行し、この処理が終了した場合には、本サブルーチンを終了する。詳しくは図１９を用いて説明するが、メインＣＰＵ６６は、可変表示ゲームの保留数が“４”より小さいと判別した場合には、大当たり判定用乱数値、大当たり図柄用乱数値を抽出し、メインＲＡＭ７０の所定領域に記憶する。また、メインＣＰＵ６６は、大当たり強調実行抽選を行い、メインＲＡＭ７０の所定領域に各種のコマンドをセットする。この処理が終了した場合には、ステップＳ２６７に処理を移す。
【０１６７】
ステップＳ２６７においては、アウト球スイッチ入力があるか否かの判断を行う。この処理において、メインＣＰＵ６６は、アウト球センサ１１２から供給される所定の信号に応じて、アウト球スイッチ入力があると判別した場合には、アウト球カウンタを“１”増加させるように記憶更新するアウト球スイッチ検出時処理を実行する（ステップＳ２６８）。一方、メインＣＰＵ６６は、アウト球スイッチ入力があると判別しなかった場合には、本サブルーチンを終了する。
【０１６８】
（始動口検出時処理）
図１８のステップＳ２６６において実行されるサブルーチンについて図１９を用いて説明する。
【０１６９】
最初に、図１９に示すように、メインＣＰＵ６６は、可変表示ゲームの保留数が“４”以上であるか否かの判断を行う。すなわち、この処理において、メインＣＰＵ６６は、始動記憶数カウンタから始動記憶数を読み出し、始動記憶数が“４”以上であるか否かの判断を行う（ステップＳ５０１）。この処理において、メインＣＰＵ６６は、始動記憶数が“４”以上であると判別した場合には、本サブルーチンを終了する。つまり、可変表示ゲームの保留数が上限数に至っている場合には、始動口６に遊技球が入賞したが、始動記憶情報の記憶を行うことなく、本サブルーチンを終了することとなる。一方、メインＣＰＵ６６は、始動記憶数が“４”より小さいと判別した場合には、始動記憶数カウンタを“１”増加させ（ステップＳ５０２）、ステップＳ５０３に処理を移す。
【０１７０】
ステップＳ５０３においては、メインＣＰＵ６６は、大当たり判定用乱数カウンタから大当たり判定用乱数値を抽出し、大当たり図柄決定用乱数カウンタから大当たり図柄用乱数値を抽出する。そして、メインＣＰＵ６６は、抽出した大当たり判定用乱数値、大当たり図柄用乱数値をメインＲＡＭ７０の所定領域に始動記憶情報として記憶する（ステップＳ５０４）。このように記憶された大当たり判定用乱数値、大当たり図柄用乱数値を示すデータは、図１６のステップＳ１０５などの処理においてメインＣＰＵ６６により読み出され、大当たりであるか否かが判断され、導出表示させる識別情報の種類が決定されることとなる。このように、メインＣＰＵ６６は、遊技球が始動口６に入球したが、所定の可変表示保留条件が成立した場合に、その識別情報の可変表示が実行できる所定の可変表示開始条件が成立するまで、その識別情報の可変表示の結果を決定するための始動記憶情報を、所定数を上限として記憶することとなる。この処理が終了した場合には、ステップＳ５０５に処理を移す。
【０１７１】
ステップＳ５０５において、メインＣＰＵ６６は、始動記憶数を示すデータを読み出し、そのデータに基づく始動記憶数指定コマンドを示すデータをメインＲＡＭ７０の所定領域にセットする。このようにセットされた始動記憶数指定コマンドを示すデータは、図１３のステップＳ４７の処理により、主制御回路６０のメインＣＰＵ６６から副制御回路２００のサブＣＰＵ２０６に始動記憶数指定コマンドとして供給される。副制御回路２００のサブＣＰＵ２０６は、後述するように、受信した始動記憶数指定コマンドに応じて、始動記憶数に関する演出、報知を実行することとなる。また、この始動記憶数指定コマンドには、ステップＳ５０３によって抽出された大当たり判定用乱数値、大当たり図柄用乱数値に基づくデータ（例えば、大当たり遊技状態に移行させる乱数値であるか否か、識別情報の可変表示の結果、リーチとなるか否かなど）が含まれており、主制御回路６０から副制御回路２００に始動記憶数指定コマンドを供給することによって、副制御回路２００（サブＣＰＵ２０６）は、例えば、大当たり遊技状態に移行させる乱数値であるか否か、識別情報の可変表示の結果、リーチとなるか否かなどを認識可能となる。この処理が終了した場合には、本サブルーチンを終了する。
【０１７２】
（普通図柄関連スイッチ入力処理）
図１６のステップＳ２３３において実行されるサブルーチンについて図２０を用いて説明する。
【０１７３】
最初に、図２０に示すように、球通過スイッチ入力があるか否かの判断を行う（ステップＳ２８１）。この処理において、メインＣＰＵ６６は、通過球センサ１１４から供給される所定の信号に応じて球通過スイッチ入力があると判別した場合、球通過検出時処理を実行する（ステップＳ２８２）。
【０１７４】
この球通過検出時処理において、メインＣＰＵ６６は、図１９に示す始動口検出時処理の場合と同様、所定の上限数（例えば“４”）まで球通過記憶数カウンタを“１”増加させるように記憶更新する処理を実行する。そして、普通図柄ゲームを「当たり」とするか否かの内部抽選処理を行い、その抽選結果を示すデータ（例えば、「当たり」であるか否か、普通図柄９４の可変表示の結果など）と、球通過記憶数を示すデータとを含む球通過記憶数指定コマンドを示すデータをメインＲＡＭ７０の所定領域にセットする。このようにセットされた球通過記憶数指定コマンドを示すデータは、図１３のステップＳ４７の処理により、主制御回路６０のメインＣＰＵ６６から副制御回路２００のサブＣＰＵ２０６に球通過記憶数指定コマンドとして供給される。副制御回路２００のサブＣＰＵ２０６は、受信した球通過記憶数指定コマンドに応じて、球通過記憶数に関する演出、報知を実行することとなる。この処理が終了した場合、及び前記ステップＳ２８１の処理で球通過スイッチ入力があると判別しなかった場合には、本サブルーチンを終了する。
【０１７５】
（連動演出関連スイッチ入力処理）
図１６のステップＳ２３４において実行されるサブルーチンについて図２１を用いて説明する。
【０１７６】
最初に、図２１に示すように、メインＣＰＵ６６は、連動開始開閉役物監視スイッチ入力があるか否かの判断を行う（ステップＳ２９１）。この処理において、メインＣＰＵ６６は、連動開始開閉役物監視センサ１０８から供給される所定の信号に応じて連動開始開閉役物監視スイッチ入力があると判別した場合、ステップＳ２９２に処理を移す一方、連動開始開閉役物監視スイッチ入力がないと判別した場合、ステップＳ２９９に処理を移す。
【０１７７】
ステップＳ２９２において、メインＣＰＵ６６は、連動開始開閉役物の開閉鎖状態フラグを変更する。
【０１７８】
前記開閉鎖状態フラグは、開閉役物５０Ａ〜５０Ｄごとに設けられ、各開閉役物５０Ａ〜５０Ｄが開放状態にあるか閉鎖状態にあるかを示すものであり、初期状態においては全ての開閉役物５０Ａ〜５０Ｄの開閉鎖状態フラグが閉鎖状態を示す値にセットされている。そして、遊技の進行に伴って各開閉役物５０Ａ〜５０Ｄが開閉動作し、連動開始開閉役物監視センサ１０８や連動開閉役物監視センサ１１０によってその動きが検知されると、メインＣＰＵ６６は、それまで開閉鎖状態フラグが示していた状態から他の状態へと開閉鎖状態フラグの値を変更する。すなわち、それまでの開閉鎖状態フラグの値が閉鎖状態を示す値であれば開放状態を示す値へ、逆に、開放状態を示す値であれば閉鎖状態を示す値へと開閉鎖状態フラグの値を変更する。
【０１７９】
前述したように、本実施形態では、連動開始開閉役物を開閉役物５０Ａと開閉役物５０Ｃとしているので、前記ステップＳ２９２の処理においては、メインＣＰＵ６６は、開動作又は閉動作した連動開始開閉役物が開閉役物５０Ａの場合は同開閉役物５０Ａの開閉鎖状態フラグを変更し、開閉役物５０Ｃの場合は同開閉役物５０Ｃの開閉鎖状態フラグを変更する。この処理が終了した場合には、ステップＳ２９３に処理を移す。
【０１８０】
ステップＳ２９３において、メインＣＰＵ６６は、前記ステップＳ２９２において開閉鎖状態フラグが変更された連動開始開閉役物が開放状態か否かを判断する。そして、連動開始開閉役物が開放状態であると判別した場合、すなわち、連動開始開閉役物が閉鎖状態から開放状態へ移行したと判別した場合には、ステップＳ２９４に処理を移す一方、連動開始開閉役物が開放状態ではないと判別した場合、すなわち、連動開始開閉役物が開放状態から閉鎖状態へ移行したと判別した場合には、ステップＳ２９７に処理を移す。
【０１８１】
ステップＳ２９４において、メインＣＰＵ６６は、連動開閉役物監視スイッチ入力があるか否かの判断を行う。この処理において、メインＣＰＵ６６は、連動開閉役物監視センサ１１０から供給される所定の信号に応じて連動開閉役物監視スイッチ入力があると判別した場合、連動開始開閉役物と連動開閉役物とが連動関係にあると判断してステップＳ２９５に処理を移す一方、連動開閉役物監視スイッチ入力がないと判別した場合、連動開始開閉役物と連動開閉役物とが連動関係になく、連動開始開閉役物が単独で開動作したと判断して本サブルーチンを終了する。
【０１８２】
ステップＳ２９５において、メインＣＰＵ６６は、連動開閉役物の開閉鎖状態フラグを変更する。
【０１８３】
前述したように、本実施形態では、連動開始開閉役物である開閉役物５０Ａに対する連動開閉役物を開閉役物５０Ｂとし、連動開始開閉役物である開閉役物５０Ｃに対する連動開閉役物を開閉役物５０Ｄとしているので、このステップＳ２９５の処理においては、メインＣＰＵ６６は、開動作した連動開始開閉役物が開閉役物５０Ｂの場合は同開閉役物５０Ｂの開閉鎖状態フラグを変更し、開閉役物５０Ｄの場合は同開閉役物５０Ｄの開閉鎖状態フラグを変更する。この処理が終了した場合には、ステップＳ２９６に処理を移す。
【０１８４】
ステップＳ２９６において、メインＣＰＵ６６は、連動演出開始コマンドを示すデータをメインＲＡＭ７０の所定領域にセットする。このようにセットされた連動演出開始コマンドを示すデータは、図１３のステップＳ４７の処理により、主制御回路６０のメインＣＰＵ６６から副制御回路２００のサブＣＰＵ２０６に連動演出開始コマンドとして供給され、副制御回路２００のサブＣＰＵ２０６は、後述するように、受信した連動演出開始コマンドに基づき液晶表示装置３２の演出表示可能領域３２ａにおいて連動演出を開始することとなる。この処理が終了した場合には、本サブルーチンを終了する。
【０１８５】
ステップＳ２９７において、メインＣＰＵ６６は、現在、液晶表示装置３２の演出表示可能領域３２ａにおいて連動演出を実行中であるか否かを判断する。そして、連動演出を実行中であると判別した場合には、ステップＳ２９８に処理を移す一方、連動演出を実行中ではないと判別した場合には、本サブルーチンを終了する。
【０１８６】
ステップＳ２９８において、メインＣＰＵ６６は、連動演出終了コマンドを示すデータをメインＲＡＭ７０の所定領域にセットする。このようにセットされた連動演出終了コマンドを示すデータは、図１３のステップＳ４７の処理により、主制御回路６０のメインＣＰＵ６６から副制御回路２００のサブＣＰＵ２０６に連動演出終了コマンドとして供給され、副制御回路２００のサブＣＰＵ２０６は、後述するように、受信した連動演出終了コマンドに基づき液晶表示装置３２の演出表示可能領域３２ａにおける連動演出を終了することとなる。この処理を終了した場合、本サブルーチンを終了する。
【０１８７】
ステップＳ２９９において、メインＣＰＵ６６は、前記ステップＳ２９４と同様、連動開閉役物監視スイッチ入力があるか否かの判断を行う。この処理において、メインＣＰＵ６６は、連動開閉役物監視センサ１１０から供給される所定の信号に応じて連動開閉役物監視スイッチ入力があると判別した場合、連動開閉役物が単独で開閉動作したと判断してステップＳ３００に処理を移す一方、連動開閉役物監視スイッチ入力がないと判別した場合、本サブルーチンを終了する。
【０１８８】
ステップＳ３００において、メインＣＰＵ６６は、前記ステップＳ２９５と同様、連動開閉役物の開閉鎖状態フラグを変更する。前述したように、メインＣＰＵ６６は、開閉動作した連動開始開閉役物が開閉役物５０Ｂの場合は同開閉役物５０Ｂの開閉鎖状態フラグを変更し、開閉役物５０Ｄの場合は同開閉役物５０Ｄの開閉鎖状態フラグを変更する。なお、このステップＳ３００においては、前記ステップＳ２９５とは異なり、開閉鎖状態フラグが閉鎖状態を示す状態から開放状態を示す値に変更される場合のみならず、開放状態を示す状態から閉鎖状態を示す値に変更される場合もある。この処理が終了した場合には、本サブルーチンを終了する。
【０１８９】
（副制御回路の動作）
一方、副制御回路２００では、主制御回路６０から送信される各種のコマンドを受信し、図２２に示すようなコマンド受信処理を実行することとなる。
【０１９０】
（コマンド受信処理）
最初に、図２２に示すように、始動記憶数指定コマンドを受信したか否かを判断する（ステップＳ３４１）。この処理において、サブＣＰＵ２０６は、主制御回路６０から始動記憶数指定コマンドを受信したと判別した場合には、ステップＳ３４２に処理を移す。一方、サブＣＰＵ２０６は、主制御回路６０から始動記憶数指定コマンドを受信しなかったと判別した場合には、ステップＳ３４３に処理を移す。
【０１９１】
ステップＳ３４２において、サブＣＰＵ２０６は、保留数更新処理を実行する。この処理において、サブＣＰＵ２０６は、始動記憶情報と、更新前の始動記憶数を示すデータと、更新後の始動記憶数を示すデータとを、ワークＲＡＭ２１０の所定領域にセットする。そして、サブＣＰＵ２０６は、主制御回路６０から受信した始動記憶数指定コマンドに基づいて始動記憶数を決定し、ワークＲＡＭ２１０の所定領域に位置付けられた始動記憶数を示すデータを更新する。なお、この処理においては、保留数の増減に関わらず、更新を行うこととなる。この処理が終了した場合には、本サブルーチンを終了する。
【０１９２】
ステップＳ３４３において、サブＣＰＵ２０６は、変動パターン指定コマンドを受信したか否かを判断する。この処理において、サブＣＰＵ２０６は、主制御回路６０から変動パターン指定コマンドを受信したと判別した場合には、ステップＳ３４４に処理を移す。一方、サブＣＰＵ２０６は、主制御回路６０から変動パターン指定コマンドを受信しなかったと判別した場合には、ステップＳ３４６に処理を移す。
【０１９３】
ステップＳ３４４において、サブＣＰＵ２０６は、リーチ判定処理を実行する。この処理において、サブＣＰＵ２０６は、変動パターンに基づいて、リーチとなる変動パターンであるか否かを判定する。この処理が終了した場合にはステップＳ３４５に処理を移す。
【０１９４】
ステップＳ３４５において、サブＣＰＵ２０６は、変動パターン、リーチ判定結果、演出決定テーブルを参照し、演出パターンを選択する。この処理において、サブＣＰＵ２０６は、主制御回路６０から供給された変動パターン指定コマンドに含まれる変動パターンと、ステップＳ３４４においてリーチとなるか否かを判定した判定結果と、演出決定テーブルとを参照する。この処理が終了した場合には、本サブルーチンを終了する。
【０１９５】
ステップＳ３４６において、サブＣＰＵ２０６は、連動演出開始コマンドを受信したか否かを判断する。この処理において、サブＣＰＵ２０６は、連動演出開始コマンドを受信したと判別した場合には、ステップＳ３４７において、連動演出開始コマンドドを受信した旨の連動演出開始コマンドデータをワークＲＡＭ２１０の所定領域にセットし、本サブルーチンを終了する。なお、前記連動演出開始コマンドデータは、後述する図２３の連動演出処理でサブＣＰＵ２０６によって消去される。一方、サブＣＰＵ２０６は、連動演出開始コマンドを受信しなかったと判別した場合には、ステップＳ３４８に処理を移す。
【０１９６】
ステップＳ３４８において、サブＣＰＵ２０６は、連動演出終了コマンドを受信したか否かを判断する。この処理において、サブＣＰＵ２０６は、連動演出終了コマンドを受信したと判別した場合には、ステップＳ３４９において、連動演出終了コマンドを受信した旨の連動演出終了コマンドデータをワークＲＡＭ２１０の所定領域にセットし、本サブルーチンを終了する。なお、前記連動演出終了コマンドデータは、後述する図２３の連動演出処理でサブＣＰＵ２０６によって消去される。一方、サブＣＰＵ２０６は、連動演出終了コマンドを受信しなかったと判別した場合には、ステップＳ３５０に処理を移す。
【０１９７】
ステップＳ３５０において、サブＣＰＵ２０６は、その他の受信したコマンド（例えば、球通過記憶数指定コマンドなど）に対応する制御を実行する。この処理が終了した場合には、本サブルーチンを終了する。
【０１９８】
（連動演出処理）
また、副制御回路２００では、所定のタイミングでコマンド受信処理とは異なる連動演出処理が実行される。この連動演出処理について図２３を用いて説明する。
【０１９９】
図２３に示すように、副制御回路２００のサブＣＰＵ２０６は、最初に連動演出開始コマンドを受信したか否かを判断する（ステップＳ３７１）。サブＣＰＵ２０６は、図２２のステップＳ３４７において連動演出開始コマンドデータがセットされたか否かによって、連動演出開始コマンドを受信したか否かを判断する。そして、主制御回路６０から連動演出開始コマンドを受信したと判別した場合には、ステップＳ３７２に処理を移す一方、主制御回路６０から連動演出開始コマンドを受信していないと判別した場合には、ステップＳ３７３に処理を移す。
【０２００】
ステップＳ３７２において、サブＣＰＵ２０６は、連動演出開始処理を実行する。この連動演出開始処理において、サブＣＰＵ２０６は、画像データＲＯＭ２１６から連動演出画像データを読み出してワークＲＡＭ２１０にセットすると共に、所定のタイミングで前記連動演出画像データをＶＤＰ２１２に供給する。これにより、図１１に示すように、液晶表示装置３２の演出表示可能領域Ａ内に連動演出画像Ｇが表示されることとなる。
【０２０１】
ステップＳ３７３において、サブＣＰＵ２０６は、最初に連動演出終了コマンドを受信したか否かを判断する。サブＣＰＵ２０６は、図２２のステップＳ３４９において連動演出終了コマンドデータがセットされたか否かによって、連動演出終了コマンドを受信したか否かを判断する。そして、主制御回路６０から連動演出終了コマンドを受信したと判別した場合には、ステップＳ３７４に処理を移す一方、主制御回路６０から連動演出終了コマンドを受信していないと判別した場合には、本サブルーチンを終了する。
【０２０２】
ステップＳ３７４において、サブＣＰＵ２０６は、連動演出終了処理を実行する。この連動演出終了処理において、サブＣＰＵ２０６は、ＶＤＰ２１２に連動演出画像Ｇの表示を停止させて、連動演出を終了する。この処理が終了した場合、本サブルーチンを終了する。
【０２０３】
このように、サブＣＰＵ２０６が上記連動演出処理を実行することにより、連動開始開閉役物と連動開閉役物とが連動関係にあるときにだけ、連動演出画像Ｇを演出表示可能領域３２ａ内の所定位置に表示することができる。
【０２０４】
以上、本発明の実施形態を説明したが、ここでは具体例を例示したに過ぎず、特に本発明を限定するものではない。すなわち、本発明は、主に、発射された遊技球を上部側から下部側へ流下案内可能とし、一部又は全部が透明部材により形成されて背後が透視可能な透明遊技盤と、この透明遊技盤を通して視認されるように当該透明遊技盤の背面側に配設され、透明遊技盤の略全面に演出表示可能領域を形成する表示手段と、前記透明遊技盤上に設けられ、遊技球が入球し難い閉鎖状態と遊技球が入球しやすい開放状態とに可動する複数の開閉役物と、前記透明遊技盤の背面側に配設され、前記複数の開閉役物が相互に機械的に連動して連鎖的に拡開動作するように、複数の開閉役物同士を連結した連動機構と、前記開閉役物が互いに連動して連鎖的に拡開する様子を、前記連動機構の動きに合わせて前記表示手段上で演出表示する拡開動作演出表示制御手段とを備える構成としたことを特徴とするものであるが、透明遊技盤、透明遊技盤に演出表示可能領域を形成する表示手段、開閉役物、複数の開閉役物同士を連結した連動機構、前記連動機構の動きに合わせて前記表示手段上で演出表示する拡開動作演出表示制御手段などの具体的構成は、適宜設計変更可能である。
【０２０５】
また、本発明の実施形態に記載された効果は、本発明から生じる最も好適な効果を列挙したに過ぎず、本発明による効果は、本発明の実施形態に記載されたものに限定されるものでもない。
【図面の簡単な説明】
【０２０６】
【図１】本発明の実施形態に係るパチンコ遊技機の概観を示す斜視図である。
【図２】本発明の実施形態に係るパチンコ遊技機の分解斜視図である。
【図３】本発明の実施形態に係るパチンコ遊技機における概観を示す正面図である。
【図４】本発明の実施形態に係るパチンコ遊技機における開閉役物を示す図である。
【図５】本発明の実施形態に係るパチンコ遊技機における開閉役物の開閉動作の原理を説明するための図である。
【図６】本発明の実施形態に係るパチンコ遊技機における複数の開閉役物が連動機構で連動する原理を説明するための図である。
【図７】本発明の実施形態に係るパチンコ遊技機の主制御回路及び副制御回路を示すブロック図である。
【図８】本発明の実施形態に係るパチンコ遊技機において表示される表示画面を示す説明図である。
【図９】本発明の実施形態に係るパチンコ遊技機において表示される表示画面を示す説明図である。
【図１０】本発明の実施形態に係るパチンコ遊技機において表示される表示画面を示す説明図である。
【図１１】本発明の実施形態に係るパチンコ遊技機において表示される表示画面を示す説明図である。
【図１２】本発明の実施形態に係るパチンコ遊技機において実行される制御処理を示すフローチャートである。
【図１３】本発明の実施形態に係るパチンコ遊技機において実行される制御処理を示すフローチャートである。
【図１４】本発明の実施形態に係るパチンコ遊技機において実行される制御処理を示すフローチャートである。
【図１５】本発明の実施形態に係るパチンコ遊技機において実行される制御処理を示すフローチャートである。
【図１６】本発明の実施形態に係るパチンコ遊技機において実行される制御処理を示すフローチャートである。
【図１７】本発明の実施形態に係るパチンコ遊技機において実行される制御処理を示すフローチャートである。
【図１８】本発明の実施形態に係るパチンコ遊技機において実行される制御処理を示すフローチャートである。
【図１９】本発明の実施形態に係るパチンコ遊技機において実行される制御処理を示すフローチャートである。
【図２０】本発明の実施形態に係るパチンコ遊技機において実行される制御処理を示すフローチャートである。
【図２１】本発明の実施形態に係るパチンコ遊技機において実行される制御処理を示すフローチャートである。
【図２２】本発明の実施形態に係るパチンコ遊技機において実行される制御処理を示すフローチャートである。
【図２３】本発明の実施形態に係るパチンコ遊技機において実行される制御処理を示すフローチャートである。
【符号の説明】
【０２０７】
５ａ〜５ｄ  一般入賞口
６  始動口
８  大入賞口
１０  パチンコ遊技機（遊技機）
１４  透明遊技盤
１５  遊技領域
３２  液晶表示装置（表示手段）
３２ａ  演出表示可能領域
３４  可変表示ゲーム表示領域
５０Ａ〜５０Ｄ  開閉役物
５２  連動機構
６０  主制御回路
６６  メインＣＰＵ
７０  メインＲＡＭ
１０８  連動開始開閉役物監視センサ
１１０  連動開閉役物監視センサ
２００  副制御回路
２０６  サブＣＰＵ
【図１】
2006025938.tif 000003
【図２】
2006025938.tif 000004
【図３】
2006025938.tif 000005
【図４】
2006025938.tif 000006
【図５】
2006025938.tif 000007
【図６】
2006025938.tif 000008
【図７】
2006025938.tif 000009
【図８】
2006025938.tif 000010
【図９】
2006025938.tif 000011
【図１０】
2006025938.tif 000012
【図１１】
2006025938.tif 000013
【図１２】
2006025938.tif 000014
【図１３】
2006025938.tif 000015
【図１４】
2006025938.tif 000016
【図１５】
2006025938.tif 000017
【図１６】
2006025938.tif 000018
【図１７】
2006025938.tif 000019
【図１８】
2006025938.tif 000020
【図１９】
2006025938.tif 000021
【図２０】
2006025938.tif 000022
【図２１】
2006025938.tif 000023
【図２２】
2006025938.tif 000024
【図２３】
2006025938.tif 000025